(57)【特許請求の範囲】
【請求項１】
非ライセンス帯域（ｕｎｌｉｃｅｎｓｅｄ  ｂａｎｄ）を用いる無線通信システムにおける端末の方法であって、
基地局からＲＳＳＩ（ｒｅｃｅｉｖｅｄ  ｓｉｇｎａｌ  ｓｔｒｅｎｇｔｈ  ｉｎｄｉｃａｔｏｒ）測定タイミング設定（ＲＳＳＩ  ｍｅａｓｕｒｅｍｅｎｔ  ｔｉｍｉｎｇ  ｃｏｎｆｉｇｕｒａｔｉｏｎ；ＲＭＴＣ）に関する情報を受信する段階と、
前記ＲＭＴＣに関する情報に従い、前記非ライセンス帯域に対する測定を行う段階と、
前記基地局へ平均ＲＳＳＩ情報（ａｖｅｒａｇｅ  ＲＳＳＩ  ｉｎｆｏｒｍａｔｉｏｎ）及びチャンネル占有情報（ｃｈａｎｎｅｌ  ｏｃｃｕｐａｎｃｙ  ｉｎｆｏｒｍａｔｉｏｎ）のうち少なくとも１つを含む測定報告を送信する段階とを含み、
前記ＲＭＴＣに関する情報は、ＤＲＳ（ｄｉｓｃｏｖｅｒｙ  ｒｅｆｅｒｅｎｃｅ  ｓｉｇｎａｌ）が送信されるサブフレームを含む第１タイプ測定に対する時間及び周波数測定制限並びに報告設定情報と、前記ＤＲＳが送信されるサブフレームを含まない第２タイプ測定に対する時間及び周波数測定制限並びに報告設定情報と、をそれぞれ含む、方法。
【請求項２】
前記ＲＭＴＣに関する情報は、測定持続期間情報（ｍｅａｓｕｒｅｍｅｎｔ  ｄｕｒａｔｉｏｎ  ｉｎｆｏｒｍａｔｉｏｎ）及び周期情報を含む、請求項１に記載の方法。
【請求項３】
前記チャンネル占有情報は、ＲＳＳＩがしきい値以上である時間の百分率（ｐｅｒｃｅｎｔａｇｅ）を指示する、請求項１に記載の方法。
【請求項４】
前記しきい値は、ＲＲＣシグナリングにより設定される、請求項３に記載の方法。
【請求項５】
前記ＲＭＴＣは、ＤＲＳ（ｄｉｓｃｏｖｅｒｙ  ｒｅｆｅｒｅｎｃｅ  ｓｉｇｎａｌ）測定タイミング設定と独立的に設定される、請求項１に記載の方法。
【請求項６】
非ライセンス帯域（ｕｎｌｉｃｅｎｓｅｄ  ｂａｎｄ）を用いる無線通信システムにおける基地局の方法であって、
端末へＲＳＳＩ（ｒｅｃｅｉｖｅｄ  ｓｉｇｎａｌ  ｓｔｒｅｎｇｔｈ  ｉｎｄｉｃａｔｏｒ）測定タイミング設定（ＲＳＳＩ  ｍｅａｓｕｒｅｍｅｎｔ  ｔｉｍｉｎｇ  ｃｏｎｆｉｇｕｒａｔｉｏｎ；ＲＭＴＣ）に関する情報を送信する段階と、
前記端末から平均ＲＳＳＩ情報（ａｖｅｒａｇｅ  ＲＳＳＩ  ｉｎｆｏｒｍａｔｉｏｎ）及びチャンネル占有情報（ｃｈａｎｎｅｌ  ｏｃｃｕｐａｎｃｙ  ｉｎｆｏｒｍａｔｉｏｎ）のうち少なくとも１つを含む測定報告を受信する段階とを含み
前記測定報告は、前記ＲＭＴＣに関する情報に従い、前記非ライセンス帯域に対する測定に基づいて生成され、
前記ＲＭＴＣに関する情報は、ＤＲＳ（ｄｉｓｃｏｖｅｒｙ  ｒｅｆｅｒｅｎｃｅ  ｓｉｇｎａｌ）が送信されるサブフレームを含む第１タイプ測定に対する時間及び周波数測定制限並びに報告設定情報と、前記ＤＲＳが送信されるサブフレームを含まない第２タイプ測定に対する時間及び周波数測定制限並びに報告設定情報と、をそれぞれ含む、方法。
【請求項７】
前記ＲＭＴＣに関する情報は、測定持続期間情報（ｍｅａｓｕｒｅｍｅｎｔ  ｄｕｒａｔｉｏｎ  ｉｎｆｏｒｍａｔｉｏｎ）及び周期情報を含む、請求項６に記載の方法。
【請求項８】
前記チャンネル占有情報は、ＲＳＳＩがしきい値以上である時間の百分率（ｐｅｒｃｅｎｔａｇｅ）を指示する、請求項６に記載の方法。
【請求項９】
前記しきい値は、ＲＲＣシグナリングにより設定される、請求項８に記載の方法。
【請求項１０】
前記ＲＭＴＣは、ＤＲＳ（ｄｉｓｃｏｖｅｒｙ  ｒｅｆｅｒｅｎｃｅ  ｓｉｇｎａｌ）測定タイミング設定と独立的に設定される、請求項６に記載の方法。
【請求項１１】
非ライセンス帯域（ｕｎｌｉｃｅｎｓｅｄ  ｂａｎｄ）を用いる無線通信システムにおける端末であって、
送受信機と、
基地局からＲＳＳＩ（ｒｅｃｅｉｖｅｄ  ｓｉｇｎａｌ  ｓｔｒｅｎｇｔｈ  ｉｎｄｉｃａｔｏｒ）測定タイミング設定（ＲＳＳＩ  ｍｅａｓｕｒｅｍｅｎｔ  ｔｉｍｉｎｇ  ｃｏｎｆｉｇｕｒａｔｉｏｎ；ＲＭＴＣ）に関する情報を受信し、前記ＲＭＴＣに関する情報に従い、前記非ライセンス帯域に対する測定を行い、前記基地局へ平均ＲＳＳＩ情報（ａｖｅｒａｇｅ  ＲＳＳＩ  ｉｎｆｏｒｍａｔｉｏｎ）及びチャンネル占有情報（ｃｈａｎｎｅｌ  ｏｃｃｕｐａｎｃｙ  ｉｎｆｏｒｍａｔｉｏｎ）のうち少なくとも１つを含む測定報告を送信するように制御する、前記送受信機と連結された制御機とを含み、
前記ＲＭＴＣに関する情報は、ＤＲＳ（ｄｉｓｃｏｖｅｒｙ  ｒｅｆｅｒｅｎｃｅ  ｓｉｇｎａｌ）が送信されるサブフレームを含む第１タイプ測定に対する時間及び周波数測定制限並びに報告設定情報と、前記ＤＲＳが送信されるサブフレームを含まない第２タイプ測定に対する時間及び周波数測定制限並びに報告設定情報と、をそれぞれ含む、端末。
【請求項１２】
前記ＲＭＴＣに関する情報は、測定持続期間情報（ｍｅａｓｕｒｅｍｅｎｔ  ｄｕｒａｔｉｏｎ  ｉｎｆｏｒｍａｔｉｏｎ）及び周期情報を含む、請求項１１に記載の端末。
【請求項１３】
前記チャンネル占有情報は、ＲＳＳＩがしきい値以上である時間の百分率（ｐｅｒｃｅｎｔａｇｅ）を指示する、請求項１１に記載の端末。
【請求項１４】
前記しきい値は、ＲＲＣシグナリングにより設定される、請求項１３に記載の端末。
【請求項１５】
前記ＲＭＴＣは、ＤＲＳ（ｄｉｓｃｏｖｅｒｙ  ｒｅｆｅｒｅｎｃｅ  ｓｉｇｎａｌ）測定タイミング設定と独立的に設定される、請求項１１に記載の端末。
【請求項１６】
非ライセンス帯域（ｕｎｌｉｃｅｎｓｅｄ  ｂａｎｄ）を用いる無線通信システムにおける基地局であって、
送受信機と、
端末へＲＳＳＩ（ｒｅｃｅｉｖｅｄ  ｓｉｇｎａｌ  ｓｔｒｅｎｇｔｈ  ｉｎｄｉｃａｔｏｒ）測定タイミング設定（ＲＳＳＩ  ｍｅａｓｕｒｅｍｅｎｔ  ｔｉｍｉｎｇ  ｃｏｎｆｉｇｕｒａｔｉｏｎ；ＲＭＴＣ）に関する情報を送信し、前記端末から平均ＲＳＳＩ情報（ａｖｅｒａｇｅ  ＲＳＳＩ  ｉｎｆｏｒｍａｔｉｏｎ）及びチャンネル占有情報（ｃｈａｎｎｅｌ  ｏｃｃｕｐａｎｃｙ  ｉｎｆｏｒｍａｔｉｏｎ）のうち少なくとも１つを含む測定報告を受信するように制御する、前記送受信機と連結された制御機とを含み、
前記測定報告は、前記ＲＭＴＣに関する情報に従い、前記非ライセンス帯域に対する測定に基づいて生成され、
前記ＲＭＴＣに関する情報は、ＤＲＳ（ｄｉｓｃｏｖｅｒｙ  ｒｅｆｅｒｅｎｃｅ  ｓｉｇｎａｌ）が送信されるサブフレームを含む第１タイプ測定に対する時間及び周波数測定制限並びに報告設定情報と、前記ＤＲＳが送信されるサブフレームを含まない第２タイプ測定に対する時間及び周波数測定制限並びに報告設定情報と、をそれぞれ含む、基地局。
【請求項１７】
前記ＲＭＴＣに関する情報は、測定持続期間情報（ｍｅａｓｕｒｅｍｅｎｔ  ｄｕｒａｔｉｏｎ  ｉｎｆｏｒｍａｔｉｏｎ）及び周期情報を含む、請求項１６に記載の基地局。
【請求項１８】
前記チャンネル占有情報は、ＲＳＳＩがしきい値以上である時間の百分率（ｐｅｒｃｅｎｔａｇｅ）を指示する、請求項１６に記載の基地局。
【請求項１９】
前記しきい値は、ＲＲＣシグナリングにより設定される、請求項１８に記載の基地局。
【請求項２０】
前記ＲＭＴＣは、ＤＲＳ（ｄｉｓｃｏｖｅｒｙ  ｒｅｆｅｒｅｎｃｅ  ｓｉｇｎａｌ）測定タイミング設定と独立的に設定される、請求項１６に記載の基地局。
【発明の詳細な説明】
【技術分野】
【０００１】
本開示内容(ｄｉｓｃｌｏｓｕｒｅ)は、一般的に無線通信システムに関する。より具体的に、本開示内容は非ライセンス(ｕｎｌｉｃｅｎｓｅｄ)スペクトラム上のＲＲＭ測定のための方法及び装置に関する。
【背景技術】
【０００２】
ＬＴＥ(Ｌｏｎｇ Ｔｅｒｍ ｅｖｏｌｕｔｉｏｎ)無線アクセス技術(ｒａｄｉｏ ａｃｃｅｓｓ ｔｅｃｈｎｏｌｏｇｙ；ＲＡＴ)は、ＬＡＡ(ｌｉｃｅｎｓｅｄ ａｓｓｉｓｔｅｄ ａｃｃｅｓｓ)又はＬＴＥ−Ｕ(ＬＴＥ ｕｎｌｉｃｅｎｓｅｄ)としても知られている非ライセンス周波数スペクトラムに配置されることができる。ＬＡＡに対する可能な配置(ｄｅｐｌｏｙｍｅｎｔ)シナリオ中の１つはＬＡＡキャリアをキャリアアグリゲーション(ｃａｒｒｉｅｒ ａｇｇｒｅｇａｔｉｏｎ)の一部として配置することであり、ここでＬＡＡキャリアはライセンス(ｌｉｃｅｎｓｅｄ)周波数スペクトラム上の別のキャリアと集める(ａｇｇｒｅｇａｔｅ)。
【発明の概要】
【発明が解決しようとする課題】
【０００３】
従来の方式で、ライセンス周波数スペクトラム上のキャリアは、ＰＣｅｌｌ(ｐｒｉｍａｒｙ ｃｅｌｌ)として割り当てられ、非ライセンス周波数スペクトラム上のキャリアはＵＥに対するＳＣｅｌｌ(ｓｅｃｏｎ ｄａｒｙｃｅｌｌ)として割り当てられる。ＬＡＡキャリアと同一の非ライセンス周波数スペクトラムで動作する別のＲＡＴがあることができるから、異種(ｈｅｔｅｒｏｇｅｎｅｏｕｓ)ＲＡＴ間の望まない干渉なしに非ライセンス周波数スペクトラム上でＬＡＡと異なるＲＡＴの共存を可能にする必要がある。
【課題を解決するための手段】
【０００４】
本開示内容は、非ライセンススペクトラム上のＲＲＭ測定のための方法及び装置を提供される。
【０００５】
一実施形態で、ユーザ装置(ｕｓｅｒ ｅｑｕｉｐｍｅｎｔ；ＵＥ)が提供される。ＵＥはＬＡＡ(ｌｉｃｅｎｓｅｄ ａｓｓｉｓｔｅｄ ａｃｃｅｓｓ)で非ライセンススペクトラムを介してＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＳＳＩ ｍｅａｓｕｒｅｍｅｎｔ ｔｉｍｉｎｇ ｃｏｎｆｉｇｕｒａｔｉｏｎ；ＲＭＴＣ)を受信するように設定された送受信機を含む。ＵＥは受信されたＲＭＴＣにより平均ＲＳＳＩ 測定を生成するように設定された少なくとも１つのプロセッサをさらに含む。少なくとも１つのプロセッサは、チャンネル占有率(ｃｈａｎｎｅｌ ｏｃｃｕｐａｎｃｙｒａｔｉｏ)を含むチャンネル占有測定レポートを生成するようにさらに設定され、送受信機は平均ＲＳＳＩ測定を含むＲＳＳＩ測定レポートと共にチャンネル占有測定レポートを送信するようにさらに設定される。
【０００６】
他の実施形態で、ｅＮＢ(ｅＮｏｄｅＢ)が提供される。ｅＮＢはＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＳＳＩ ｍｅａｓｕｒｅｍｅｎｔ ｔｉｍｉｎｇ ｃｏｎｆｉｇｕｒａｔｉｏｎ；ＲＭＴＣ)を生成するように設定された少なくとも１つのプロセッサを含む。ｅＮＢは、ＬＡＡ(ｌｉｃｅｎｓｅｄ ａｓｓｉｓｔｅｄａｃｃｅｓｓ)で非ライセンススペクトラムを介して生成されたＲＭＴＣを送信し、送信されたＲＭＴＣにより平均ＲＳＳＩ測定を含むＲＳＳＩ測定レポートと共にチャンネル占有率を含むチャンネル占有測定レポートを受信するように設定された送受信機をさらに含む。
【０００７】
また他の実施形態で、ユーザ装置(ＵＥ)が提供される。ＵＥは、ＬＡＡ(ｌｉｃｅｎｓｅｄ ａｓｓｉｓｔｅｄ ａｃｃｅｓｓ)で非ライセンススペクトラムを介して固定されバックオフ期間(ｆｉｘｅｄ ｂａｃｋｏｆｆ ｐｅｒｉｏｄ)に従うＤＲＳ(ｄｉｓｃｏｖｅｒｙ ｒｅｆｅｒｅｎｃｅ ｓｉｇｎａｌ)送信をｅＮＢ(ｅＮｏｄｅＢ)から受信するように設定された送受信機を含む。固定されたバックオフ期間は、データ送信のためのバックオフ期間と相違するように決定される。ＵＥは固定されたバックオフ期間によりＤＲＳを測定するように設定された少なくとも１つのプロセッサをさらに含む。
【発明の効果】
【０００８】
本開示内容によれば、ＬＡＡキャリアと同一の非ライセンス周波数スペクトラムで動作する別のＲＡＴは、異種ＲＡＴ間の望まない干渉なしに共存することができる。
【０００９】
本開示内容及びこの利点に対するより完全な理解のために、添付の図面と共に取られた説明に対する参照がなる。
【図面の簡単な説明】
【００１０】
【図１】本開示内容の実施形態による例示的な無線ネットワークを示す。
【図２】本開示内容の実施形態による例示的なｅＮＢ(ｅＮｏｄｅＢ)を示す。
【図３】本開示内容の実施形態による例示的なユーザ装置(ＵＥ)を示す。
【図４Ａ】本開示内容の実施形態による直交周波数分割多重アクセス送信経路の高レベルダイヤグラムを示す。
【図４Ｂ】本開示内容の実施形態による直交周波数分割多重接続受信経路の高レベルダイヤグラムを示す。
【図５】本開示内容の実施形態によるダウンリンク(ｄｏｗｎｌｉｎｋ；ＤＬ)送信時間間隔(ｔｒａｎｓｍｉｓｓｉｏｎ  ｔｉｍｅ  ｉｎｔｅｒｖａｌ；ＴＴＩ)に対する例示的な構造を示す。
【図６】本開示内容の実施形態によるＣＲＳ ＲＥ(ｃｏｍｍｏｎ ｒｅｆｅｒｅｎｃｅ ｓｉｇｎａｌ ｒｅｓｏｕｒｃｅ ｅｌｅｍｅｎｔ)マッピングのための例示的な構造を示す。
【図７】本開示内容の実施形態によるライセンス及び非ライセンススペクトラム上の例示的なキャリアアグリゲーション方式を示す。
【図８】本開示内容の実施形態によるＬＴＥ−Ｕ(ｌｏｎｇ ｔｅｒｍ ｅｖｏｌｕｔｉｏｎ−ｕｎｌｉｃｅｎｓｅｄ)ダウンリンクキャリアの例示的な時分割多重化(ｔｉｍｅ ｄｉｖｉｓｉｏｎ ｍｕｌｔｉｐｌｅｘｉｎｇ；ＴＤＭ)送信パターンを示す。
【図９】本開示内容の実施形態によるＰＳＳ／ＳＳＳ(ｐｒｉｍａｒｙ ｓｙｎｃｈｒｏｎｉｚａｔｉｏｎ ｓｉｇｎａｌ／ｓｅｃｏｎｄａｒｙ ｓｙｎｃｈｒｏｎｉｚａｔｉｏｎ ｓｉｇｎａｌ)に対する時間ドメイン位置の例示的な設定を示す。
【図１０】本開示内容の実施形態によるＤＲＳ(ｄｉｓｃｏｖｅｒｙ ｒｅｆｅｒｅｎｃｅ ｓｉｇｎａｌ)送信の一例を示す。
【図１１】本開示内容の実施形態によるＤＲＳ送信の他の例を示す。
【図１２】本開示内容の実施形態による非周期的ＤＲＳ送信の一例を示す。
【図１３】本開示内容の実施形態による高負荷ダウンリンク及びアップリンクＷｉＦｉトラフィックに対するＲＳＳＩ(ｒｅｃｅｉｖｅｄ ｓｉｇｎａｌ ｓｔｒｅｎｇｔｈ ｉｎｄｉｃａｔｏｒ)測定の一例を示す。
【図１４】本開示内容の実施形態による非ライセンススペクトラム上のＲＳＳＩ送信のためのシグナリング流れの一例を示す。
【発明を実施するための形態】
【００１１】
他の技術的特徴は、次の図面、説明及び請求範囲から当業者に容易に明らかとなることができる。
【００１２】
以下の詳細な説明をする前に、本特許文書全体にかけて使用された特定単語及び文句の定義を説明することが有利することができる。用語 “結合(ｃｏｕｐｌｅ)”及びこの派生語は２つ以上の要素が互いに物理的に接触するか否かにかかわらず２つ以上の要素間のどんな直接又は間接通信を指称する。用語“送信”、“受信”及び“通信”だけでなくこの派生語は直接及び間接通信のいずれをも含む。用語“含む(ｉｎｃｌｕｄｅ)”及び“包含する(ｃｏｍｐｒｉｓｅ)”だけでなくこの派生語は制限なしに包含（ｉｎｃｌｕｓｉｏｎ)を意味する。用語 “又は”は包括的であり、及び／又は(ａｎｄ／ｏｒ)を意味する。文句“に係る(ａｓｓｏｃｉａｔｅｄ ｗｉｔｈ)”だけでなくこの派生語は含み(ｉｎｃｌｕｄｅ)、内に含まれて(ｉｎｃｌｕｄｅｄ ｗｉｔｈ ｉｎ)、と相互連結して(ｉｎｔｅｒｃｏｎｎｅｃｔ ｗｉｔｈ)、含有して(ｃｏｎｔａｉｎ)、内に含有されて(ｂｅｃｏｎｔａｉｎｅｄ ｗｉｔｈ ｉｎ)、「に」又は「と」接続して(ｃｏｎｎｅｃｔ ｔｏ ｏｒ ｗｉｔｈ)、「に」又は「と」結合して(ｃｏｕｐｌｅ ｔｏ ｏｒ ｗｉｔｈ)、と通信可能で(ｂｅｃｏｍｍｕｎｉｃａｂｌｅ ｗｉｔｈ)、と協力して(ｃｏｏｐｅｒａｔｅ ｗｉｔｈ)、インタリーブして(ｉｎｔｅｒｌｅａｖｅ)、併置して(ｊｕｘｔａｐｏｓｅ)、に近づいて(ｂｅｐｒｏｘｉｍａｔｅ ｔｏ)、「に」又は「と」バウンディングされて(ｂｅｂｏｕｎｄｔｏ ｏｒ ｗｉｔｈ)、持って(ｈａｖｅ)、所有しており(ｈａｖｅ ａｐｒｏｐｅｒｔｙ ｏｆ)、「に」又は「と」関係を持って(ｈａｖｅ ａｒｅｌａｔｉｏｎｓｈｉｐ ｔｏ ｏｒ ｗｉｔｈ)などであることを意味する。用語“制御機”は少なくとも１つの動作を制御する任意の装置、システム又はこの一部を意味する。このような制御機は、ハードウェア又はハードウェア及びソフトウェア及び／又はファームウエアの組合で具現されることができる。任意の特定制御機に係る機能はローカルでも遠隔でも中央集中化されたり分散されることができる。文句 “少なくとも１つ(ａｔｌｅａｓｔ ｏｎｅ ｏｆ)”は、項目のリストと共に使用される時、リストされた項目中の１つ以上の相違する組合が使用されることができ、リスト内には１つの項目だけが必要であることができるということを意味する。例えば、“Ａ、Ｂ及びＣのうちの少なくとも１つ”は次の組合：Ａ、Ｂ、Ｃ、Ａ及びＢ、Ａ及びＣ、Ｂ及びＣ、及びＡ及びＢ及びＣのうちのいずれか１つを含む。
【００１３】
さらに、後述する多様な機能は１つ以上のコンピュータープログラムにより具現されたりサポートされることができ、それぞれのコンピュータープログラムはコンピューター判読可能プログラムコードから形成され、コンピューター判読可能媒体で具現される。用語 “アプリケーション”及び“プログラム”は、適切なコンピューター判読可能プログラムコードで具現のために適応された１つ以上のコンピュータープログラム、ソフトウェアコンポネント、コマンドのセット、手続き、機能、対象(ｏｂｊｅｃｔ)、クラス、インスタンス、関連されるデータ又はこの一部を指称する。文句“コンピューター判読可能プログラムコード”はソースコード、対象コード及び実行可能コードを含む任意のタイプのコンピューターコードを含む。文句“コンピューター判読可能媒体”は判読専用メモリー(ｒｅａｄ ｏｎｌｙ ｍｅｍｏｒｙ；ＲＯＭ)、ランダムアクセスメモリー(ｒａｎｄｏｍ ａｃｃｅｓｓ ｍｅｍｏｒｙ；ＲＡＭ)、ハードディスクドライブ、コンパクトディスク(ｃｏｍｐａｃｔｄｉｓｃ；ＣＤ)、デジタルビデオディスク(ｄｉｇｉｔａｌ ｖｉｄｅｏ ｄｉｓｃ；ＤＶＤ)、又は任意の他のタイプのメモリーのようにコンピューターによりアクセスされることができる任意のタイプの媒体を含む。“非一時的(ｎｏｎ−ｔｒａｎｓｉｔｏｒｙ)”コンピューター判読可能媒体は一時的電気的又は他の信号を送信する有線、無線、光学又は別の通信リンクを排除する。非一時的コンピューター判読可能媒体はデータが永久的に記憶されることができる媒体、及び再記録可能光ディスク又は消去可能メモリー装置のようにデータが記憶されてから上書き(ｏｖｅｒ ｗｒｉｔｉｎｇ)されることができる媒体を含む。
【００１４】
他の特定単語及び文句に対する定義は本特許文書全体にかけて提供される。当業者は大部分の場合ではないがこのような定義が、このような定義された単語及び文句の以前及び以後の使用に適用されるということを理解すべきである。
【００１５】
以下で論議される図１乃至図１４、及び本特許文書で本開示内容の原理を説明するために使用された多様な実施形態は、ただ例示のためのことで、どんなふうでも本開示内容の範囲を制限することに解釈されてはいけない。当業者は本開示内容の原理が任意適切に配置された無線通信システムで具現されることができるということを理解するだろう。
【００１６】
次の文書及び標準説明は本明細書で完全に説明されたように本開示内容に参照して統合される。:３ＧＰＰ ＴＳ ３６．２１１ｖ１２．３．０、“Ｅ−ＵＴＲＡ、Ｐｈｙｓｉｃａｌ ｃｈａｎｎｅｌｓ ａｎｄ ｍｏｄｕｌａｔｉｏｎ” (ＲＥＦ１)；３ＧＰＰ ＴＳ ３６.２１２ｖ１２．２．０、“Ｅ−ＵＴＲＡ、Ｍｕｌｔｉｐｌｅｘｉｎｇ ａｎｄ Ｃｈａｎｎｅｌ ｃｏｄｉｎｇ”(ＲＥＦ２；３ＧＰＰ ＴＳ ３６．２１３ｖ１２．３．０、“Ｅ−ＵＴＲＡ、Ｐｈｙｓｉｃａｌ Ｌａｙｅｒ Ｐｒｏｃｅｄｕｒｅｓ”(ＲＥＦ３；３ＧＰＰＴＲ３６．８７２ｖ１２．１．０、“Ｓｍａｌｌ ｃｅｌｌ ｅｎｈａｎｃｅｍｅｎｔｓ ｆｏｒ ｅ−ＵＴＲＡ ａｎｄ ｅ−ＵＴＲＡＮ−Ｐｈｙｓｉｃａｌ ｌａｙｅｒ ａｓｐｅｃｔｓ”(ＲＥＦ４)；３ＧＰＰ ＴＳ ３６．１３３ｖ１２．７．０、“Ｅ−ＵＴＲＡ、Ｒｅｑｕｉｒｅｍｅｎｔｓ ｆｏｒ ｓｕｐｐｏｒｔ ｏｆ ｒａｄｉｏ ｒｅｓｏｕｒｃｅｍａｎａｇｅｍｅｎｔ” (ＲＥＦ５；３ＧＰＰ ＴＳ ３６．３３１ｖ１２．３．０、“Ｅ−ＵＴＲＡ、Ｒａｄｉｏ Ｒｅｓｏｕｒｃｅ Ｃｏｎｔｒｏｌ (ＲＲＣ) Ｐｒｏｔｏｃｏｌ Ｓｐｅｃｉｆｉｃａｔｉｏｎ”；ａｎｄ ＥＴＳＩ ＥＮ３０１８９３ｖ１．８．０２０１２−０６)、 Ｈａｒｍｏｎｉｚｅｄ Ｅｕｒｏｐｅａｎ Ｓｔａｎｄａｒｄ、“Ｂｒｏａｄｂａｎｄ Ｒａｄｉｏ Ａｃｃｅｓｓ Ｎｅｔｗｏｒｋｓ (ＢＲＡＮ)；５ＧＨｚ ｈｉｇｈ ｐｅｒｆｏｒｍａｎｃｅ ＲＬＡＮ。”
【００１７】
以下の図１乃至図４Ｂは、無線通信システムで直交周波数分割多重 (ｏｒｔｈｏｇｏｎａｌ ｆｒｅｑｕｅｎｃｙ ｄｉｖｉｓｉｏｎ ｍｕｌｔｉｐｌｅｘｉｎｇ；ＯＦＤＭ)又は直交周波数分割多元接続(ｏｒｔｈｏｇｏｎａｌ ｆｒｅｑｕｅｎｃｙ ｄｉｖｉｓｉｏｎ ｍｕｌｔｉｐｌｅａｃｃｅｓｓ；ＯＦＤＭＡ)通信技術の使用で具現される多様な実施形態を説明する。図１乃至図３の説明は相違する実施形態が具現されることができる方式に対する物理的又は構造的制限を意味することではない。本開示内容の相違する実施形態は任意適切に配置された通信システムで具現されることができる。
【００１８】
図１は、本開示内容の実施形態による例示的な無線ネットワーク１００を示す。図１に示された無線ネットワーク１００の実施形態は例示だけのためのものである。無線ネットワーク１００の他の実施形態は本開示内容の範囲を逸脱することなく用いられることができる。
【００１９】
図１に示されたように、無線ネットワーク１００は、ｅＮＢ１０１、ｅＮＢ１０２及びｅＮＢ１０３を含む。ｅＮＢ１０１は、ｅＮＢ１０２及びｅＮＢ１０３と通信する。ｅＮＢ１０１はさらにインターネット、独占的インターネットプロトコル(Ｉｎｔｅｒｎｅｔ Ｐｒｏｔｏｃｏｌ；ＩＰ)ネットワーク、又は別のデータネットワークのような少なくとも１つのネットワーク１３０と通信する。
【００２０】
ｅＮＢ１０２は、ｅＮＢ１０２のカバレッジ領域１２０内の第１複数のＵＥに対するネットワーク１３０に無線広帯域アクセスを提供する。第１複数のＵＥは、小企業(ｓｍａｌｌ ｂｕｓｉｎｅｓｓ；ＳＢ)に位置されることができるＵＥ１１１；企業(ｅｎｔｅｒｐｒｉｓｅ；Ｅ)に位置されることができるＵＥ１１２；ＷｉＦｉホットスパット(ｈｏｔ ｓｐｏｔ；ＨＳ)に位置されることができるＵＥ１１３；第１居住地(ｒｅｓｉｄｅｎｃｅ；Ｒ)に位置されることができるＵＥ１１４；第２居住地(Ｒ)に位置されることができるＵＥ１１５；及びセルフォン、無線ラップトップ、無線ＰＤＡなどのようなモバイルデバイス(Ｍ)であることができるＵＥ１１６を含む。ｅＮＢ１０３は、ｅＮＢ１０３のカバレッジ領域１２５内の第２複数のＵＥに対するネットワーク１３０に無線広帯域アクセスを提供する。第２複数のＵＥは、ＵＥ１１５及びＵＥ１１６を含む。一部実施形態で、ｅＮＢ１０１−１０３のうちの１つ以上は５Ｇ、ＬＴＥ、ＬＴＥ−Ａ、ＷｉＭＡＸ、ＷｉＦｉ、ＬＴＥ−Ｕ(ＬＡＡ)又は別の無線通信技術を用いて互いに通信してＵＥ１１１−１１６と通信することができる。
【００２１】
ネットワークタイプにより、“基地局”又は“アクセスポイント”のような“ｅＮｏｄｅＢ”又は“ｅＮＢ”代りにほかのよく知られた用語が用いられることができる。便宜上、用語 “ｅＮｏｄｅＢ”及び“ｅＮＢ”は、本特許文書で遠隔端末機に対する無線アクセスを提供するネットワークインフラコンポネントを指称するために用いられる。また、ネットワークタイプにより、“移動局”、“加入者国”、“遠隔端末機”、“無線端末機”、又は“ユーザデバイス”のような“ユーザ装置”又は“ＵＥ”代りにほかのよく知られた用語が用いられることができる。便宜上、用語“ユーザ装置”及び“ＵＥ”は、本特許文書でＵＥが(移動電話又はスマートフォンのような)モバイルデバイスであるか、又は一般的に(デスクトップコンピューター又は自動販売機のような)固定デバイスと見なされるかに関わらずｅＮＢに無線でアクセスする遠隔無線装置を指称するために用いられる。
【００２２】
点線は例示及び説明のためにほとんど円形に図示されるカバレッジ領域１２０及び１２５の大略的な範囲を示す。カバレッジ領域１２０及び１２５のようなｅＮＢに係るカバレッジ領域は、ｅＮＢの設定、及び自然的及び人工的妨害物(ｍａｎ−ｍａｄｅ ｏｂｓｔｒｕｃｔｉｏｎ)に係る無線環境の変化に応じて不規則な形象を含む他の形状を有することができるということが明確に理解されなければならない。
【００２３】
以下、より詳細に説明されるように、１つ以上のＵＥ１１１−１１６は、ＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＳＳＩ ｍｅａｓｕｒｅｍｅｎｔ ｔｉｍｉｎｇ ｃｏｎｆｉｇｕｒａｔｉｏｎ；ＲＭＴＣ)の処理及びｅＮＢ１０１−１０３からの受信されたＲＭＴＣによる平均ＲＳＳＩ測定の生成のための回路、プログラミング又はこの組合を含む。一部実施形態で、ＵＥ１１１−１１６はチャンネル占有率を含むチャンネル占有測定レポートを生成し、平均ＲＳＳＩ測定を含むＲＳＳＩ測定レポートと共にチャンネル占有測定レポートを送信する。
【００２４】
一部実施形態で、ＵＥ１１１−１１６は、平均ＲＳＳＩ測定のための少なくとも１つのしきい値を超過する占有された測定時間単位(ｍｅａｓｕｒｅｍｅｎｔ ｔｉｍｅ ｕｎｉｔ；ＭＴＵ)の量に基づいて決定されるチャンネル占有率を生成し、ここで少なくとも１つのしきい値はｅＮＢ１０１−１０３からの上位階層信号により設定される。一部実施形態で、ＲＭＴＣはＤＲＳ(ｄｉｓｃｏｖｅｒｙ ｒｅｆｅｒｅｎｃｅ ｓｉｇｎａｌ)測定タイミング設定(ＤＲＳ ｍｅａｓｕｒｅｍｅｎｔ ｔｉｍｉｎｇ ｃｏｎｆｉｇｕｒａｔｉｏｎ；ＤＭＴＣ)から独立的に設定される。一部実施形態で、ＲＭＴＣは平均ＲＳＳＩ測定間の時間周期(ｔｉｍｅｐｅｒｉｏｄ)を決定する測定持続期間(ｄｕｒａｔｉｏｎ)及び測定期間(ｐｅｒｉｏｄ)を含む。一部実施形態で、ＵＥ１１１−１１６は平均ＲＳＳＩ測定を行うためにＯＦＤＭシンボル情報を受信し、ここでＯＦＤＭシンボル情報はｅＮＢからの上位階層信号により表示される。一部実施形態で、ＵＥ１１１−１１６はＤＲＳを測定するための固定されたバックオフ期間を受信し、ここで固定されたバックオフ期間はｅＮＢからの上位階層信号により設定される。
【００２５】
一部実施形態で、ＵＥ１１１−１１６は少なくとも１つのＣＣＡ(ｃｌｅａｒ ｃｈａｎｎｅｌ ａｓｓｅｓｓｍｅｎｔ)しきい値を受信し、このようなしきい値のそれぞれはＤＲＳを測定するための相違するＣＣＡしきい値を含み、ここで少なくとも１つのＣＣＡしきい値はｅＮＢ１０１−１０３からの上位階層信号により設定される。一部実施形態で、ＵＥ１１１−１１６はサブフレーム構造設定を示す値を受信し、ダウンリンク制御チャンネルを受信するためのサブフレーム構造設定を示す値を処理し、ここでサブフレーム構造設定を示す値は部分サブフレーム持続期間設定を示す値又は全体サブフレーム持続期間設定を示す値のうちの少なくとも１つを含み、サブフレーム構造設定を示す値はｅＮＢ１０１−１０３からのダウンリンク制御情報(ｄｏｗｎｌｉｎｋ ｃｏｎｔｒｏｌ ｉｎｆｏｒｍａｔｉｏｎ；ＤＣＩ)フォーマットにより設定される。
【００２６】
一部実施形態で、ＵＥ１１１−１１６はＬＡＡ(ｌｉｃｅｎｓｅｄ ａｓｓｉｓｔｅｄ ａｃｃｅｓｓ)で非ライセンススペクトラムを介して固定されたバックオフ期間を受信し、ここで固定されたバックオフ期間はＤＲＳ(ｄｉｓｃｏｖｅｒｙ ｒｅｆｅｒｅｎｃｅ ｓｉｇｎａｌ)を測定するために決定され、固定されたバックオフ期間によりＤＲＳを測定する。一部実施形態で、ＵＥ１１１−１１６は少なくとも１つのＣＣＡ(ｃｌｅａｒ ｃｈａｎｎｅｌ ａｓｓｅｓｓｍｅｎｔ)しきい値を受信し、このようなしきい値のそれぞれはＤＲＳを測定するための相違するしきい値を含み、ここで少なくとも１つのＣＣＡしきい値はＵＥへの上位階層信号により設定される。
【００２７】
ある実施形態で、ｅＮＢ１０１−１０３のうちの１つ以上はＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＳＳＩ ｍｅａｓｕｒｅｍｅｎｔｔｉｍｉｎｇ ｃｏｎｆｉｇｕｒａｔｉｏｎ；ＲＭＴＣ)の生成及び送信されたＲＭＴＣによって平均ＲＳＳＩ測定を含むＲＳＳＩ測定レポートと共にチャンネル占有率を含むチャンネル占有測定レポートの処理のための回路、プログラミング又はこの組合を含み、ここでチャンネル占有率は平均ＲＳＳＩ測定のための少なくとも１つのしきい値を超過する占有された測定時間単位(ＭＴＵ)の量に基づいて決定され、ここで少なくとも１つのしきい値はｅＮＢ１０１−１０３からの上位階層信号により設定される。
【００２８】
一部実施形態で、ｅＮＢ１０１−１０３はＤＲＳ(ｄｉｓｃｏｖｅｒｙ ｒｅｆｅｒｅｎｃｅ ｓｉｇｎａｌ)測定タイミング設定(ＤＭＴＣ)から独立的に設定されるＲＭＴＣを生成させてＵＥ１１１−１１６へ送信し、ここでＲＭＴＣは平均ＲＳＳＩ測定間の時間周期を決定する測定持続期間及び測定期間を含む。一部実施形態で、ｅＮＢ１０１−１０３はＵＥ１１１−１１６の平均ＲＳＳＩ測定を行うためにＯＦＤＭシンボル情報を送信し、ここでＯＦＤＭシンボル情報はＵＥへの上位階層信号により表示される。
【００２９】
一部実施形態で、ｅＮＢ１０１−１０３はＤＲＳを測定するための固定されたバックオフ期間を送信し、ここで固定されたバックオフ期間はＵＥへの上位階層信号により設定される。一部実施形態で、ｅＮＢ１０１−１０３は少なくとも１つのＣＣＡ(ｃｌｅａｒ ｃｈａｎｎｅｌ ａｓｓｅｓｓｍｅｎｔ)しきい値を送信し、このようなしきい値のそれぞれはＤＲＳを測定するための相違するＣＣＡしきい値を含み、ここで少なくとも１つのＣＣＡしきい値はＵＥへの上位階層信号により設定される。一部実施形態で、ｅＮＢ１０１−１０３はダウンリンク制御チャンネルを送信するためのサブフレーム構造設定を示す値を生成し、サブフレーム構造設定を示す値を送信し、ここでサブフレーム構造設定を示す値は部分サブフレーム持続期間設定を示す値又は全体サブフレーム持続期間設定を示す値のうちの少なくとも１つを含み、ここでサブフレーム構造設定を示す値はＵＥへのダウンリンク制御情報(ＤＣＩ)フォーマットにより設定される。
【００３０】
図１は、無線ネットワーク１００の一例を示すが、図１に対する多様な変更が成ることができる。例えば、無線ネットワーク１００は任意適切な配置の任意の数のｅＮＢ及び任意の数のＵＥを含むことができる。また、ｅＮＢ１０１は任意の数のＵＥと直接通信することができ、ネットワーク１３０に対する無線広帯域アクセスをこのようなＵＥに提供することができる。類似に、それぞれのｅＮＢ１０２−１０３はネットワーク１３０と直接通信することができ、ネットワーク１３０に対する直接無線広帯域アクセスをＵＥに提供することができる。さらに、ｅＮＢ１０１、１０２及び／又は１０３は、外部電話ネットワーク又は別のタイプのデータネットワークのように異なる又は付加的な外部ネットワークに対するアクセスを提供することができる。
【００３１】
図２は、本開示内容の実施形態による例示的なｅＮＢ１０２を示す。図２に示されたｅＮＢ１０２の実施形態は、ただ例示のためのものであり、図１のｅＮＢ１０１及び１０３は同一又は類似の設定を有することができる。しかし、ｅＮＢは多様な設定を有し、図２はｅＮＢの任意の特定具現に対する本開示内容の範囲を制限しない。
【００３２】
図２に示されたように、ｅＮＢ１０２は多数のアンテナ２０５ａ−２０５ｎ、多数のＲＦ送受信機２１０−２１０ｎ、送信(ＴＸ)処理回路２１５及び受信(ＲＸ)処理回路２２０を含む。さらに、ｅＮＢ１０２は制御機／プロセッサ２２５、メモリー２３０、及びバックホールを又はネットワークインターフェース２３５を含む。
【００３３】
ＲＦ送受信機２１０ａ−２１０ｎは、アンテナ２０５ａ−２０５ｎからネットワーク１００内のＵＥにより送信された信号のような入ってくる(ｉｎｃｏｍｉｎｇ)ＲＦ信号を受信する。ＲＦ送受信機２１０ａ−２１０ｎは、ＩＦ又は基底帯域信号を生成するために入ってくるＲＦ信号をダウンリンク変換する。ＩＦ又は基底帯域信号は基底帯域又はＩＦ信号をフィルターリング、デコーディング及び／又はデジタル化することによって処理された基底帯域信号を生成するＲＸ処理回路２２０へ送信される。ＲＸ処理回路２２０は追加の処理のために処理された基底帯域信号を制御機／プロセッサ２２５へ送信する。
【００３４】
ＴＸ処理回路２１５は、制御機／プロセッサ２２５から(音声データ、ウェブデータ、電子メール又は対話形ビデオゲームデータのような)アナログ又はデジタルデータを受信する。ＴＸ処理回路２１５は処理された基底帯域又はＩＦ信号を生成するために出ていく(ｏｕｔｇｏｉｎｇ)基底帯域データをエンコーディング、多重化及び／又はデジタル化する。ＲＦ送受信機２１０ａ−２１０ｎはＴＸ処理回路２１５から出て行く処理された基底帯域又はＩＦ信号を受信し、基底帯域又はＩＦ信号をアンテナ２０５ａ−２０５ｎを介して送信されるＲＦ信号で上向き変換する。
【００３５】
一部実施形態で、ＲＦ送受信機２１０ａ−２１０ｎは、ＬＡＡ(ｌｉｃｅｎｓｅｄ ａｓｓｉｓｔｅｄ ａｃｃｅｓｓで非ライセンススペクトラムを介してＲＭＴＣを送信し、送信されたＲＭＴＣにより平均ＲＳＳＩ測定を含むＲＳＳＩ測定レポートと共にチャンネル占有率を含むチャンネル占有測定レポートを受信するように設定される。一部実施形態で、ＲＦ送受信機２１０ａ−２１０ｎは、ダウンリンク制御チャンネルを送信するためのサブフレーム構造設定を示す値を送信するように設定され、ここでサブフレーム構造設定を示す値は部分サブフレーム持続期間設定を示す値又は全体サブフレーム持続期間設定を示す値のうちの少なくとも１つを含み、ここで、サブフレーム構造設定を示す値はＵＥへのダウンリンク制御情報(ＤＣＩ)フォーマットにより設定される。
【００３６】
制御機／プロセッサ２２５は、ｅＮＢ１０２の全体動作を制御する１つ以上のプロセッサ又は他の処理デバイスを含むことができる。例えば、制御機／プロセッサ２２５はよく知られた原理によりＲＦ送受信機２１０ａ−２１０ｎ、ＲＸ処理回路２２０及びＴＸ処理回路２１５により順方向チャンネル信号の受信及び逆方向チャンネル信号の送信を制御することができる。制御機／プロセッサ２２５はより進歩された無線通信機能のような付加的な機能をまたサポートすることができる。
【００３７】
例えば、制御機／プロセッサ２２５は多数のアンテナ２０５ａ−２０５ｎからの出て行く信号が望む方向に出て行く信号を効果的に操縦(ｓｔｅｅｒｉｎｇ)するように相違するように加重されるビーム形成又は志向性ラウティング動作をサポートすることができる。多様な別の機能中の任意の機能は制御機／プロセッサ２２５によりｅＮＢ１０２でサポートされることができる。一部実施形態で、制御機／プロセッサ２２５は少なくとも１つのマイクロプロセッサ又はマイクロ制御機を含む。一部実施形態で、制御機／プロセッサ２２５はＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＭＴＣ)を生成するように設定される。
【００３８】
一部実施形態で、制御機／プロセッサ２２５はＵＥの平均ＲＳＳＩ測定を行うためのＯＦＤＭシンボル情報を送信するように設定され、ここでＯＦＤＭシンボル情報はＵＥへの上位階層信号により表示される。一部実施形態で、制御機／プロセッサ２２５はＤＲＳを測定するために固定されたバックオフ周期を送信するように設定され、ここで固定されたバックオフ周期はＵＥへの上位階層信号により設定される。一部実施形態で、制御機／プロセッサ２２５は少なくとも１つのＣＣＡ(ｃｌｅａｒ ｃｈａｎｎｅｌ ａｓｓｅｓｓｍｅｎｔ)しきい値を送信するように設定され、このようなしきい値のそれぞれはＤＲＳを測定するための相違するＣＣＡしきい値を含み、ここで少なくとも１つのＣＣＡしきい値はＵＥへの上位階層信号により設定される。
【００３９】
一部実施形態で、制御機／プロセッサ２２５はダウンリンク制御チャンネルを送信するためのサブフレーム構造設定を示す値を生成するように設定され、ここで、サブフレーム構造設定を示す値は部分サブフレーム持続期間設定を示す値又は全体サブフレーム持続期間設定を示す値のうちの少なくとも１つを含み、サブフレーム構造設定を示す値はＵＥへのダウンリンク制御情報(ＤＣＩ)フォーマットにより設定される。
【００４０】
以下、より詳しく説明されるように、ｅＮＢ１０２はＲＭＴＣの生成及びＬＴＥセル及び／又はＬＡＡでの非ライセンススペクトラム及び／又はライセンススペクトラムを介してＲＳＳＩ測定レポート及びチャンネル占有測定レポートの処理のための回路、プログラミング又はこの組合を含む。
【００４１】
制御機／プロセッサ２２５は、さらにＯＳのようにメモリー２３０に常駐するプログラム及び別のプロセスを行うことができる。制御機／プロセッサ２２５は実行プロセスにより求められるようにメモリー２３０内外でデータを移動させることができる。
【００４２】
制御機／プロセッサ２２５は、さらにバックホール又はネットワークインターフェース２３５に結合される。バックホール又はネットワークインターフェース２３５は、ｅＮＢ１０２がバックホール接続又はネットワークを介して他のデバイス又はシステムと通信するように許容する。インターフェース２３５は任意適合の有線又は無線接続を通じる通信をサポートすることができる。例えば、ｅＮＢ１０２は(５Ｇ、ＬＴＥ、ＬＴＥ−Ａ又はＬＴＥ−Ｕ(ＬＡＡ)をサポートすることのような)セルラー通信システムの一部として具現される時、インターフェース２３５はｅＮＢ１０２が有線又は無線バックホール接続を介して別のｅＮＢと通信するように許容することができる。ｅＮＢ１０２がアクセスポイントとして具現される時、インターフェース２３５はｅＮＢ１０２が有線又は無線ローカル領域ネットワークを介して、若しくは有線又は無線接続を介して(インターネットのような)より大きいネットワークで伝達するように許容することができる。インターフェース２３５はイーサーネット又はＲＦ送受信機のように有線又は無線接続を通じる通信をサポートする任意適切な構造を含む。
【００４３】
メモリー２３０は制御機／プロセッサ２２５に結合される。メモリー２３０の一部はＲＡＭを含むことができ、メモリー２３０の他の部分はフラッシュメモリー又は他のＲＯＭを含むことができる。
【００４４】
図２は、ｅＮＢ１０２の一例を示すが、図２に対する多様な変更がなることができる。例えば、ｅＮＢ１０２は図２に示された任意の数のそれぞれのコンポネントを含むことができる。特定例として、アクセスポイントは多数のインターフェース２３５を含むことができ、制御機／プロセッサ２２５は相違するネットワークアドレス間でデータをラウティングするラウティング機能をサポートすることができる。他の特定例として、ＴＸ処理回路２１５の単一インスタンス(ｉｎｓｔａｎｃｅ)及びＲＸ処理回路２２０の単一インスタンスを含むことで示されているが、ｅＮＢ１０２は(ＲＦ送受信機当たり１つのような)それぞれの多数のインスタンスを含むことができる。また、図２の多様なコンポネントは組合されたり、より細分化されたり、省略されることができ、特定必要により付加的なコンポネントが付加されることができる。
【００４５】
図３は、本開示内容の実施形態による例示的なＵＥ１１６を示す。図３に示されたＵＥ１１６の実施形態は、ただ例示のためのものであり、図１のＵＥ１１１−１１５は同一又は類似の設定を有することができる。しかし、ＵＥは多様な設定を有し、図３は本開示内容の範囲をＵＥの任意の特定具現で制限しない。
【００４６】
図３に示されたように、ＵＥ１１６は１セットのアンテナ３０５、無線周波数(ＲＦ)送受信機３１０、ＴＸ処理回路３１５、マイクロフォン３２０及び受信(ＲＸ)処理回路３２５を含む。ＵＥ１１６は、さらにスピーカー３３０、プロセッサ３４０、入出力(Ｉ／Ｏ)インターフェース(ＩＦ)３４５、入力デバイス３５０、ディスプレー３５５及びメモリー３６０を含む。メモリー３６０は運営体制(ＯＳ)３６１及び１つ以上のアプリケーション３６２を含む。
【００４７】
ＲＦ送受信機３１０は、アンテナ３０５のセットからネットワーク１００のｅＮＢにより送信された受信されるＲＦ信号を受信する。ＲＦ送受信機３１０は、中間周波数(ＩＦ)又は基底帯域信号を生成するために受信されるＲＦ信号を下向き変換する。一部実施形態で、ＲＦ送受信機３１０はＬＡＡ(ｌｉｃｅｎｓｅｄ ａｓｓｉｓｔｅｄ ａｃｃｅｓｓ)で非ライセンススペクトラムを介してＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＳＳＩ ｍｅａｓｕｒｅｍｅｎｔ ｔｉｍｉｎｇ ｃｏｎｆｉｇｕｒａｔｉｏｎ；ＲＭＴＣ)を受信し、平均ＲＳＳＩ測定を含むＲＳＳＩ測定レポートと共にチャンネル占有測定レポートを送信するように設定される。
【００４８】
一部実施形態で、ＲＦ送受信機３１０はダウンリンク制御チャンネルを受信するためのサブフレーム構造設定を示す値を受信するように設定され、ここでサブフレーム構造設定を示す値は部分サブフレーム持続期間設定を示す値又は全体サブフレーム持続期間設定を示す値のうちの少なくとも１つを含み、ここで、サブフレーム構造設定を示す値はｅＮＢからダウンリンク制御情報(ＤＣＩ)フォーマットにより設定される。一部実施形態で、ＲＦ送受信機３１０はＬＡＡ(ｌｉｃｅｎｓｅｄ ａｓｓｉｓｔｅｄ ａｃｃｅｓｓ)で非ライセンススペクトラムを介して固定されたバックオフ期間を受信するように設定され、ここで、固定されたバックオフ期間はＤＲＳ(ｄｉｓｃｏｖｅｒｙ ｒｅｆｅｒｅｎｃｅ ｓｉｇｎａｌ)を測定するために決定される。
【００４９】
ＩＦ又は基底帯域信号は、基底帯域又はＩＦ信号をフィルタ―リング、デコーディング及び／又はデジタル化することによって処理された基底帯域信号を生成するＲＸ処理回路３２５へ送信される。ＲＸ処理回路３２５は処理された基底帯域信号を(音声データに対するような)スピーカー３３０又は(ウェブブラウジングデータに対するような)追加の処理のためのプロセッサ３４０へ送信する。
【００５０】
ＴＸ処理回路３１５はマイクロフォン３２０からアナログ又はデジタル音声データを受信したりプロセッサ３４０から(ウェブデータ、電子メール又は対話形ビデオゲームデータのような)別の出て行く基底帯域データを受信する。ＴＸ処理回路３１５は、処理された基底帯域又はＩＦ信号を生成するためで出て行く基底帯域データをエンコーディング、多重化及び／又はデジタル化する。ＲＦ送受信機３１０は、ＴＸ処理回路３１５から出て行く処理された基底帯域又はＩＦ信号を受信し、基底帯域又はＩＦ信号をアンテナ３０５を介して送信されるＲＦ信号で上向き変換する。
【００５１】
プロセッサ３４０は１つ以上のプロセッサ又は他の処理デバイスを含むことができ、ＵＥ１１６の全体動作を制御するためにメモリー３６０に記憶されたＯＳ３６１を行うことができる。例えば、プロセッサ３４０はよく知られた原理によりＲＦ送受信機３１０、ＲＸ処理回路３２５及びＴＸ処理回路３１５により順方向チャンネル信号の受信及び逆方向チャンネル信号の送信を制御することができる。一部実施形態で、プロセッサ３４０は少なくとも１つのマイクロプロセッサ又はマイクロ制御機を含む。
【００５２】
プロセッサ３４０は、さらに受信されたＲＭＴＣにより平均ＲＳＳＩ測定を生成することのようにメモリー３６０に常駐する他のプロセス及びプログラムを行うことができ、ここで、プロセッサ３４０はチャンネル占有率を含むチャンネル占有測定レポートを生成するようにさらに設定される。一部実施形態で、プロセッサ３４０は平均ＲＳＳＩ測定を行うためにＯＦＤＭシンボル情報を受信するように設定され、ここで、ＯＦＤＭシンボル情報はｅＮＢからの上位階層信号により表示される。
【００５３】
一部実施形態で、プロセッサ３４０はＤＲＳを測定するために固定されたバックオフ期間を受信するように設定され、ここで、固定されたバックオフ期間はｅＮＢからの上位階層信号により設定される。一部実施形態で、プロセッサ３４０は少なくとも１つのＣＣＡ(ｃｌｅａｒ ｃｈａｎｎｅｌ ａｓｓｅｓｓｍｅｎｔ)しきい値を受信するように設定され、このようなしきい値のそれぞれはＤＲＳを測定するための相違するＣＣＡしきい値を含み、ここで、少なくとも１つのＣＣＡしきい値はｅＮＢからの上位階層信号により設定される。一部実施形態で、プロセッサ３４０はダウンリンク制御チャンネルを受信するためのサブフレーム構造設定を示す値を処理するように設定され、ここで、サブフレーム構造設定を示す値は部分サブフレーム持続期間設定を示す値又は全体サブフレーム持続期間設定を示す値のうちの少なくとも１つを含み、サブフレーム構造設定を示す値はｅＮＢからのダウンリンク制御情報(ＤＣＩ)フォーマットにより設定される。
【００５４】
一部実施形態で、プロセッサ３４０は固定されたバックオフ期間によってＤＲＳを測定するように設定される。一部実施形態で、プロセッサ３４０は少なくとも１つの ＣＣＡ(ｃｌｅａｒ ｃｈａｎｎｅｌ ａｓｓｅｓｓｍｅｎｔ)しきい値を受信するように設定され、このようなしきい値のそれぞれはＤＲＳを測定するための相違するＣＣＡしきい値を含み、少なくとも１つのＣＣＡしきい値はＵＥへの上位階層信号により設定される。
【００５５】
プロセッサ３４０は実行プロセスにより求められるようにメモリー３６０内外でデータを移動させることができる。一部実施形態で、プロセッサ３４０はＯＳ３６１に基づくか、ｅＮＢ又はオペレーターから受信された信号に応答してアプリケーション３６２を行うように設定される。プロセッサ３４０は、さらにラップトップコンピューター及びハンドヘルドコンピューターのような他のデバイスに接続する能力をＵＥ１１６に提供するＩ／Ｏインターフェース３４５に結合される。Ｉ／Ｏインターフェース３４５はこのようなアクセサリーとプロセッサ３４０間の通信経路である。
【００５６】
プロセッサ３４０は、さらに入力デバイス３５０及びディスプレー３５５に結合される。ＵＥ１１６のオペレーターは入力デバイス３５０を用いてデータをＵＥ１１６に入力することができる。ディスプレー３５５は液晶ディスプレー、発光ダイオードディスプレー、又はウェブサイトからのようにテキスト及び／又は少なくとも制限されたグラフィックをレンダリング(ｒｅｎｄｅｒｉｎｇ)できる他のディスプレーであることができる。
【００５７】
メモリー３６０はプロセッサ３４０に結合される。メモリー３６０の一部はランダムアクセスメモリー(ＲＡＭ)を含むことができ、メモリー３６０の他の部分はフラッシュメモリー又は他の読み出し専用メモリー(ＲＯＭ)を含むことができる。
【００５８】
図３は、ＵＥ１１６の一例を示すが、図３に対する多様な変更が成ることができる。例えば、図３の多様なコンポネントが組合されたり、より細分化されたり、省略されることができ、特定必要により付加的なコンポネントが付加されることができる。特定例として、プロセッサ３４０は１つ以上の中央処理ユニット(ｃｅｎｔｒａｌ ｐｒｏｃｅｓｓｉｎｇ ｕｎｉｔ；ＣＰＵ)及び１つ以上のグラフィック処理ユニット(ｇｒａｐｈｉｃｓ ｐｒｏｃｅｓｓｉｎｇ ｕｎｉｔ；ＧＰＵ)のような多数のプロセッサで分割されることができる。他の例で、ＵＥ１１６は、ただ１つのアンテナ３０５又は任意の数のアンテナ３０５を含むことができる。さらに、図３は移動電話又はスマートフォンとして設定されたＵＥ１１６を示すが、ＵＥは他のタイプの移動又は固定デバイスとして動作するように設定されることができる。
【００５９】
図４Ａは、送信経路回路４００の高ラベルダイヤグラムである。例えば、送信経路回路４００はＯＦＤＭＡ通信のために用いられることができる。図４Ｂは、受信経路回路４５０の高レベルダイヤグラムである。例えば、受信経路回路４５０はＯＦＤＭＡ通信のために用いられることができる。図４Ａ及び図４Ｂにおいて、ダウンリンク通信のために送信経路回路４００は基地局(ｅＮＢ)１０２又は中継局で具現されることができ、受信経路回路４５０は(図１のユーザ装置１１６のような)ユーザ装置で具現されることができる。他の例で、アップリンク通信のために、受信経路回路４５０は(図１の１０２のような)基地局又は中継局で具現されることができ、送信経路回路４００は(図１のユーザ装置１１６のような)ユーザ装置で具現されることができる。
【００６０】
送信経路回路４００は、チャンネルコーディング及び変調ブロック４０５、直列−並列(Ｓ−ｔｏ−Ｐ)ブロック４１０、大きさＮ逆高速フーリエ変換(Ｉｎｖｅｒｓｅ Ｆａｓｔ Ｆｏｕｒｉｅｒ Ｔｒａｎｓｆｏｒｍ；ＩＦＦＴ)ブロック４１５、並列−直列(Ｐ−ｔｏ−Ｓ)ブロック４２０、サイクリックプレフィックスブロック(ｃｙｃｌｉｃｐｒｅｆｉｘ ｂｌｏｃｋ)４２５及びアップコンバータ(ｕｐ−ｃｏｎｖｅｒｔｅｒ；ＵＣ)４３０を含む。受信経路回路４５０は、ダウンコンバータ(ｄｏｗｎ−ｃｏｎｖｅｒｔｅｒ；ＤＣ)４５５、除去サイクリックプレフィックスブロック４６０、直列−並列(Ｓ−ｔｏ−Ｐ)ブロック４６５、大きさＮ高速フーリエ変換(Ｆａｓｔ Ｆｏｕｒｉｅｒ Ｔｒａｎｓｆｏｒｍ；ＦＦＴ)ブロック４７０、並列−直列(Ｐ−ｔｏ−Ｓ)ブロック４７５、及びチャンネルデコーディング及び復調ブロック４８０を含む。
【００６１】
図４Ａ及び４Ｂのコンポネントのうちの少なくとも一部はソフトウェアに具現されることができるが、他のコンポネントは設定可能なハードウェア又はソフトウェア及び設定可能なハードウェアの混合によって具現されることができる。特に、本開示文書で説明されたＦＦＴブロック及びＩＦＦＴブロックは、設定可能なソフトウェアアルゴリズムとして具現されることができ、ここで、大きさＮの値は具現によって修正されることができるということが注目される。
【００６２】
送信経路回路４００で、チャンネルコーディング及び変調ブロック４０５は１つのセットの情報ビットを受信し、(ＬＤＰＣ(ｌｏｗ−ｄｅｎｓｉｔｙ ｐａｒｉｔｙ−ｃｈｅｃｋ)コーディングのような)コーディングを適用し、及び一連の周波数ドメイン変調シンボルを生成するために入力ビットを(ＱＰＳＫ(Ｑｕａｄｒａｔｕｒｅ Ｐｈａｓｅ Ｓｈｉｆｔ Ｋｅｙｉｎｇ)又はＱＡＭ(Ｑｕａｄｒａｔｕｒｅ Ａｍｐｌｉｔｕｄｅ Ｍｏｄｕｌａｔｉｏｎ)のように)変調させる。直列−並列ブロック４１０はＮがＢＳ１０２及びＵＥ１１６で使用されるＩＦＦＴ／ＦＦＴ大きさであるＮ個の並列シンボルストリームを生成するために直列変調されたシンボルを並列データで変換する(例えば、逆多重化する)。次に、大きさＮＩＦＦＴブロック４１５は、時間ドメイン出力信号を生成するためにＮ個の並列シンボルストリーム上でＩＦＦＴ演算を行う。並列−直列ブロック４２０は直列時間ドメイン信号を生成するために大きさＮＩＦＦＴブロック４１５からの並列時間ドメイン出力シンボルを変換する(例えば、多重化する)。次に、付加サイクリックプレフィックスブロック４２５はサイクリックプレフィックスを時間ドメイン信号に挿入する。最終的に、アップコンバータ４３０は無線チャンネルを通じる送信のために付加サイクリックプレフィックスブロック４２５の出力をＲＦ周波数で変調させる(例えば、上向き変換させる)。信号は、さらにＲＦ周波数で変換する前に基底帯域でフィルタ―リングされることができる。
【００６３】
送信されたＲＦ信号は無線チャンネルをパスした後にＵＥ１１６に到逹し、ｅＮＢ１０２での動作との逆動作が行われる。ダウンコンバータ４５５は受信された信号を基底帯域周波数で下向き変換させ、除去サイクリックプレフィックスブロック４６０は直列時間ドメイン基底帯域信号を生成するためにサイクリックプレフィックスを除去する。直列−並列ブロック４６５は、時間ドメイン基底帯域信号を並列時間ドメイン信号で変換する。次に、大きさＮＦＦＴブロック４７０はＮ個の並列周波数ドメイン信号を生成するためにＦＦＴアルゴリズムを行う。並列−直列ブロック４７５は、並列周波数ドメイン信号を一連の変調されたデータシンボルで変換する。チャンネルデコーディング及び復調ブロック４８０は元々の入力データストリームを復元するために変調されたシンボルを復調してデコーディングする。
【００６４】
ｅＮＢ１０１−１０３のそれぞれはダウンリンクでユーザ装置１１１−１１６へ送信することと類似の送信経路を具現することができ、アップリンクでユーザ装置１１１−１１６から受信することと類似の受信経路を具現することができる。同様に、ユーザ装置１１１−１１６のそれぞれはアップリンクでｅＮＢ１０１−１０３へ送信するためのアキテクチャーに対応する送信経路を具現することができ、ダウンリンクでｅＮＢ１０１−１０３から受信するためのアキテクチャーに対応する受信経路を具現することができる。
【００６５】
図５は、本開示内容の実施形態によるＤＬＴＴＩ５００に対する例示的な構造を示す。図５に示されたＤＬＴＴＩ構造５００の実施形態は例示のみのためのものである。本開示内容の範囲を逸脱することなく他の実施形態で用いられることができる。
【００６６】
図５に示されたように、ＤＬシグナリングはＯＦＤＭを用いてＤＬＴＴＩは時間ドメインでのＮ＝１４ＯＦＤＭシンボル及び周波数ドメインでのＫリソースブロック(ｒｅｓｏｕｒｃｅ ｂｌｏｃｋ；ＲＢ)を含む。第１タイプの制御チャンネル(ｃｏｎｔｒｏｌ ｃｈａｎｎｅｌ；ＣＣＨ)は送信がないＮ１＝０を含む第１Ｎ１ＯＦＤＭシンボル５１０から送信される。残りＮーＮ１個のＯＦＤＭシンボルは主にＰＤＳＣＨ５２０を送信するために用いられ、ＴＴＩの一部ＲＢでは第２タイプのＣＣＨ(ＥＣＣＨ)５３０を送信するために用いられる。
【００６７】
ｅＮＢ１０３は、さらに１次同期化信号(ｐｒｉｍａｒｙ ｓｙｎｃｈｒｏｎｉｚａｔｉｏｎ ｓｉｇｎａｌ；ＰＳＳ)及び２次同期化信号(ｓｅｃｏｎｄａｒｙ ｓｙｎｃｈｒｏｎｉｚａｔｉｏｎ ｓｉｇｎａｌ；ＳＳＳ)を送信することによって、ＵＥ１１６がｅＮＢ１０３と同期してセル識別を行う。５０４個の固有した物理的階層セルアイデンティティー(ｉｄｅｎｔｉｔｙ)がある。物理的階層セルアイデンティティーは、それぞれのグループが３個の固有したアイデンティティーを含む１６８個の固有した物理的階層セルアイデンティティーグループでグループ化される。グループ化はそれぞれの物理的階層セルアイデンティティーが１つだけである(ｏｎｅａｎｄｏｎｌｙｏｎｅ)物理的階層セルアイデンティティーグループの一部となるようにする。したがって、物理的階層セルアイデンティティー
【００６８】
【数１】
0006803848.tif 000002
【００６９】
は物理的階層セルアイデンティティーグループを示す０乃至１６７の範囲内の数
【００７０】
【数２】
0006803848.tif 000003
【００７１】
及び物理的階層セルアイデンティティーグループ内の物理的階層アイデンティティーを示す０乃至２の範囲内の数
【００７２】
【数３】
0006803848.tif 000004
【００７３】
で固有するように定義される。ＰＳＳを探知することはＵＥ１１６がＰＳＳを送信するセルのスロットタイミングだけではなく物理的階層アイデンティティーを決定するようにする。ＳＳＳを探知することはＵＥ１１６が無線フレームタイミング、物理的階層セルアイデンティティー、サイクリックプレフィックス長さを決定するようにするだけでなくセルが周波数分割デュプレックス(ｆｒｅｑｕｅｎｃｙ ｄｉｖｉｓｉｏｎ ｄｕｐｌｅｘ；ＦＤＤ)又は時分割デュプレックス(ｔｉｍｅ ｄｉｖｉｓｉｏｎ ｄｕｐｌｅｘ；ＴＤＤ)方式を用いる。
【００７４】
図６は、本開示内容の実施形態によるＣＲＳ ＲＥマッピング６００に対する例示的な構造を示す。図６に示されたＣＲＳ ＲＥマッピング６００の実施形態は、ただ例示のためのものである。本開示内容の範囲を逸脱することなく他の実施形態が用いられることができる。
【００７５】
セル検索及び同期化を助けるため、ＤＬ信号は１次同期化信号(ＰＳＳ)及び２次同期化信号(ＳＳＳ)のような同期化信号を含む。同様の構造を有するが、少なくとも１つのスロット６２０を含むサブフレーム６１０内の同期化信号の時間ドメイン位置はセルが周波数分割デュプレックス(ＦＤＤ)で動作するか、時分割デュプレックス(ＴＤＤ)で動作するかに従って異なる。したがって、同期化信号を獲得した後、ＵＥはセルがＦＤＤで動作するかＴＤＤで動作するかと、フレーム内のサブフレームインデックスを決定する。ＰＳＳ及びＳＳＳは動作帯域幅のリソース要素(ｒｅｓｏｕｒｃｅ ｅｌｅｍｅｎｔ；ＲＥ)６５０としても指称される中央７２個のサブキャリアを占有する。付加的に、ＰＳＳ及びＳＳＳはセルに対する物理的セル識別子(ｐｈｙｓｉｃａｌ ｃｅｌｌ ｉｄｅｎｔｉｆｉｅｒ；ＰＣＩＤ)を通知し、よって、ＰＳＳ及びＳＳＳを獲得した後、ＵＥは送信セルのＰＣＩＤが分かっている。
【００７６】
図７は、本開示内容の実施形態によるライセンス及び非ライセンススペクトラム７００上の例示的なキャリアアグリゲーション方式を示す。図７に示されたライセンス及び非ライセンススペクトラム７００上のキャリアアグリゲーションの実施形態は、ただ例示のためのものである。本開示内容の範囲を逸脱することなく他の実施形態が用いられることができる。
【００７７】
ＬＡＡに対する可能な配置シナリオは、キャリアアグリゲーション方式の一部としてＬＡＡキャリアを配置することであり、ここで、ＬＡＡキャリアは図７に示されたようにライセンススペクトラム上の他のキャリアと集める。従来の方式で、ライセンススペクトラム７１０上のキャリアはＰＣｅｌｌとして割り当てられ、非ライセンススペクトラム７２０上のキャリアはＵＥ７３０に対するＳＣｅｌｌとして割り当てられる。図７は、ＬＡＡセルがアップリンクキャリアと共にダウンリンクキャリアを含む一例を示す。ＬＡＡキャリアと同様の非ライセンス周波数スペクトラムで動作する別のＲＡＴがあることができるから、非ライセンス周波数スペクトラム上でＬＡＡと別のＲＡＴの共存ができるようにする必要がある。例えば、ＵＥ又はｅＮＢが送信する前に、ＣＳＭＡ(ｃａｒｒｉｅｒ ｓｅｎｓｅ ｍｕｌｔｉｐｌｅ ａｃｃｅｓｓ)が適用されることができる。ＣＳＭＡ動作で、ＵＥ又はｅＮＢは予め決定された時間周期がチャンネルで進行中である送信が存在する否かを決定するためのチャンネルをモニタリングする。チャンネルで他の送信が検出されないと、ＵＥ又はｅＮＢはデータを送信することができる。チャンネルで他の送信があれば、ＵＥ又はｅＮＢは送信を延期する。以下、用語ＬＡＡデバイスはＬＡＡキャリア上で動作するｅＮＢ又はＵＥを指称することができる。
【００７８】
図８は、本開示内容の実施形態によるＬＴＥ−Ｕダウンリンクキャリア８００の例示的なＴＤＭ送信パターンを示す。図８に示されたＬＴＥ−Ｕダウンリンクキャリア８００のＴＤＭ送信パターンの実施形態は、ただ例示のためのものである。本開示内容の範囲を逸脱脱せず他の実施形態が用いられることができる。
【００７９】
図８に示されたように、ＬＡＡキャリアは周期Ｐ−ＯＮ間のＯＮ(例えば、８２０、８３０で、周期Ｐ−ＯＦＦ間のＯＦＦ８４０である。ＬＡＡキャリアがＯＮである時、１次同期化信号(ＰＳＳ)、２次同期化信号(ＳＳＳ)、共通基準信号(ｃｏｍｍｏｎ ｒｅｆｅｒｅｎｃｅ ｓｉｇｎａｌ；ＣＲＳ)、復調基準信号(ｄｅｍｏｄｕｌａｔｉｏｎ ｒｅｆｅｒｅｎｃｅ ｓｉｇｎａｌ；ＤＭＲＳ)、物理的ダウンリンク共有チャンネル(ｐｈｙｓｉｃａｌ ｄｏｗｎｌｉｎｋ ｓｈａｒｅｄ ｃｈａｎｎｅｌ；ＰＤＳＣＨ)、物理的ダウンリンク制御チャンネル(ｐｈｙｓｉｃａｌ ｄｏｗｎｌｉｎｋ ｃｏｎｔｒｏｌ ｃｈａｎｎｅｌ；ＰＤＣＣＨ)、強化された物理的ダウンリンク共通チャンネル(ｅｎｈａｎｃｅｄ ｐｈｙｓｉｃａｌ ｄｏｗｎｌｉｎｋ ｃｏｍｍｏｎ ｃｈａｎｎｅｌ；ＥＰＤＣＣＨ)、ＣＳＩ−ＲＳ(ｃｈａｎｎｅｌ ｓｔａｔｕｓ ｉｎｄｉｃａｔｉｏｎ−ｒｅｆｅｒｅｎｃｅ ｓｉｇｎａｌ)、又はこの組合のうちの少なくとも１つを含むＬＴＥ信号が送信される。しかし、ＬＡＡキャリアがＯＦＦである時、ＬＴＥ信号は送信されない。
【００８０】
ＯＮ期間８２０、８３０又は最大チャンネル占有時間)は規定(ｒｅｇｕｌａｔｉｏｎ)(例えば、１０ｍｓ)によって定義されたような最大持続期間を持つ。Ｐ−ＯＮ期間８２０、８３０に対する長さはバッファー状態又はＬＡＡキャリアでのトラフィックパターン及び共存メトリック要件又はターゲットによってＬＡＡのスケジューラによって調整されたり適応される。ＷｉＦｉＡＰ又は他のＲＡＴ送信機は期間８４０がＬＡＡ干渉がないから送信のためにＰ−ＯＦＦ期間８４０を用いる。
【００８１】
ＬＢＴ(ｌｉｓｔｅｎ−ｂｅｆｏｒｅ−ｔａｌｋ)プロトコルが適用されると、(フレーム基盤装置(ｆｒａｍｅ−ｂａｓｅｄｅｑｕｉｐｍｅｎｔ)のような)チャンネル占有が終了された後、遊休期間がある。例えば、チャンネル占有の最小遊休期間(例えば、５％)が指定される。遊休期間はキャリア検出がＵＥにより行われる遊休期間の終了を向けたＣＣＡ(ｃｌｅａｒ ｃｈａｎｎｅｌ ａｓｓｅｓｓｍｅｎｔ)期間を含む。ＬＢＴプロトコルは負荷基盤装置に対して定義される。
【００８２】
ＤＲＳ(ｄｉｓｃｏｖｅｒｙ ｒｅｆｅｒｅｎｃｅ ｓｉｇｎａｌ)又はディスカバリー信号(ｄｉｓｃｏｖｅｒｙ Ｓｉｇｎａｌ；ＤＳ)は非ライセンススペクトラム上でＬＴＥセルによって送信される。ＤＲＳは設定された場合、ＰＳＳ、ＳＳＳ、ＣＲＳ及びＣＳＩ−ＲＳのような物理的信号を含む。非ライセンススペクトラム上のＬＴＥセルに対するＤＲＳの目的又は機能はＬＴＥセルのディスカバリー(ｄｉｓｃｏｖｅｒｙ)、ＬＴＥセルに対する同期化、及びＬＴＥセルのＲＲＭ及びＣＳＩ測定を含むが、ここに限定されない。以下、用語ＬＡＡデバイスはＬＡＡキャリア上で動作するｅＮＢ又はＵＥを指称する。
【００８３】
ネットワークは無線リソース管理(ｒａｄｉｏ ｒｅｓｏｕｒｃｅ ｍａｎａｇｅｍｅｎｔ；ＲＲＭ)のためにそれぞれのセルの基準信号受信された電力(ｒｅｆｅｒｅｎｃｅ ｓｉｇｎａｌ ｒｅｃｅｉｖｅｄ ｐｏｗｅｒ；ＲＳＲＰ)及び／又は基準信号受信された品質(ｒｅｆｅｒｅｎｃｅ ｓｉｇｎａｌ ｒｅｃｅｉｖｅｄ ｑｕａｌｉｔｙ；ＲＳＲＱ)のような信号品質測定を生成するために多数のセルを測定するようにＵＥを設定することができる。現在、ＵＥは報告基準が充足される時、測定結果をネットワークに報告し、例えば、ＲＳＲＰ／ＲＳＲＱ値がネットワークにより設定されることができるしきい値より大きい時測定報告がトリガーされることができる。このような測定フレームワークは、このような測定がチャンネル測定及び対応するレポートのために用いられるチャンネル及びＲＳ(例えば、ＤＲＳ)の常時オン送信(ａｌｗａｙｓ−ｏｎ ｔｒａｎｓｍｉｓｓｉｏｎ)に基づくから非常に効率的であることができる。しかし、ライセンスキャリアとは異なり、このような測定のための信号の可用性に対する仮定はＬＢＴ及び非ライセンスキャリアに対する他の要件を考慮して再検討される必要がある。
【００８４】
ＬＴＥシステムのＲｅｌ−１２でＤＲＳを設計する時、考慮されるシナリオとの主要差異の中の１つは非ライセンススペクトラム上のＬＢＴ動作がＤＲＳの厳格な周期的送信が常に可能にしないということである。代りに、ＤＲＳはＲＲＭ測定性能要件を満たすために成功的な送信の確率を増加させるようにセルによって‘オンディマンド(ｏｎ ｄｅｍａｎｄ)’で送信されることができる。ＣＳＩ(ｃｈａｎｎｅｌ ｓｔａｔｕｓ ｉｎｄｉｃａｔｏｒ)と類似に低いデューティーサイクル周期的ＤＲＳはＬＡＡＲＲＭが十分で信頼し得る測定機会を保障するのに有利である。しかし、ＵＥがＤＲＳの送信を期待することができるどんな状況でチャンネルアクセスメカニズムにより固定された間隔に、又は非周期的な方式で周期的に送信されるかが評価される必要がある。
【００８５】
ネットワークがディスカバリー信号を送信する方法に係る様態は、ＵＥが非ライセンスキャリアに対するディスカバリー信号を探知するために何の潜在的な補助情報が必要であるということである。ＤＲＳ設計をＬＡＡキャリアで確張すれば、ネットワークは設定されたＤＲＳ測定タイミング設定(ＤＭＴＣ)をＵＥに対する機会探知／測定ウィンドウとして用いることができる。例えば、測定ウィンドウ間、ＵＥはセルがチャンネルに成功的にアクセスしてＤＲＳ状況(ｏｃｃａｓｉｏｎ)を送信することができたかを探知する必要がある。このような例で、イントラ／インタ周波数(ｉｎｔｒａ／ｉｎｔｅｒ−ｆｒｅｑｕｅｎｃｙ)多重セルディスカバリー及び測定のための成功的なＤＲＳ送信の確率は増加されることができる。ＬＢＴがＤＲＳに適用される場合、ＤＭＴＣウィンドウ内でＤＲＳ送信に対する相違する代案があり得る。
【００８６】
一部実施形態で、ＤＲＳ送信はＤＲＳ及びＤＭＴＣ状況に対するＬＴＥシステムの既存Ｒｅｌ−１２として用いられることができる。周期的なすべてのＤＭＴＣ状況内で、ＤＲＳは同一の固定されたサブフレームから送信される。ＬＢＴが適用される時、ＤＲＳ状況が始まる前に非ライセンスキャリアが成功的に獲得されることができ、そうではなければセルはＤＲＳを送信しない。
【００８７】
図１０は、本開示内容の実施形態によるＤＲＳ(ｄｉｓｃｏｖｅｒｙ ｒｅｆｅｒｅｎｃｅ ｓｉｇｎａｌ)送信１０００の一例を示す。図１０に示されたＤＲＳ送信１０００の実施形態は、ただ例示のためのものである。本開示内容の範囲を逸脱することなく他の実施形態が用いられることができる。
【００８８】
図１０に示されたように、ＤＲ送信１０００はＬＡＡセル１１００５、ＬＡＡセル２１０１０及びＷｉＦｉＡＰ１０１５を含む。ＬＡＡセル１１００５はＣＣＡしきい値に基づいて固定されたバックオフ値(期間)に従ってＤＲＳ状況１００６ａ、１００６ｂ、１００６ｃ)を送信する。より具体的に、ＤＲＳ状況１００６ａ、１００６ｂ、１００６ｃはＤＭＴＣ期間１００７から送信される。しかし、ＤＲＳ状況１００６ｃはデータを含む送信のためのバックオフ値に対するＣＣＡしきい値と相違するように設定されるＣＣＡしきい値及び固定されたバックオフ値を含むことができるＬＢＴプロトコルによってドロップ(ｄｒｏｐ)される。類似に、ＬＡＡセル２１０１０はＤＲＳ状況１０１１ａ、１０１１ｂ、１０１１ｃを送信する。より具体的に、データの次にそれぞれのＤＲＳ状況１０１１ａ、１０１１ｂがよる。ＤＲＳ状況１０１１ｂはＬＢＴプロトコルによってドロップされる。ＷｉＦｉＡＰ１０１５はトラフィック１０１６ａ、１０１６ｂ、１０１６ｃ、１０１６ｄ、１０１６ｅを送信する。
【００８９】
一部実施形態で、非ライセンスキャリア上のトラフィックが非常に軽く、コンテンション(ｃｏｎｔｅｎｔｉｏｎ)が非常に珍しければ、このような接近法は設定された測定期間内に十分な数のＤＲＳ送信で性能要件を満たすに十分であることができることが可能である。しかし、このような実施形態で、コンテンションの存在は著しく影響を受けることができる。さらに、システムレベル性能観点で有益ではないＤＲＳ状況が設定されるサブフレーム以前にセルがチャンネルを予約する場合に非常に大きいオーバーヘッドが発生されることができる。
【００９０】
このような実施形態で、ＤＲＳ状況(例えば、２０ｍｓ)に対するより短い期間を導入して送信確率が改善される。しかし、ＤＲＳ送信の数を増加させると、システムの潜在的なオーバーヘッドがまた増加されてシステムに付加的な混雑が発生することができる。例えば、ＲＲＭ測定のみのための性能要件は２００ｍｓごとに１Ｌ１測定に対することであるが、ＤＭＴＣ期間が４０ｍｓから２０ｍｓに増加されると、ＬＢＴを適用した後、いずれも成功的な場合、ＵＥ測定及び報告に必要なことより非常に大きい最大１０ＤＲＳ状況が送信されることができる。
【００９１】
一部実施形態で、ｅＮＢはＬＢＴにより(ｓｕｂｊｅｃｔｔｏ ＬＢＴ)設定されたＤＭＴＣ期間ごとにＤＲＳ状況を送信しようと試みることができる。このような実施形態で、ｅＮＢは、ただＬＢＴにより設定されたＤＭＴＣ期間のサブセットごとに(例えば、第２又は第３ＤＭＴＣ期間ごとに)ＤＲＳ状況を送信することができる。このような実施形態で、シグナリングはＤＭＴＣ期間に対するＤＲＳ送信期間を示す(上位階層又は物理的階層のうちのいずれか1つを用いて)ＵＥに提供されることができる。例えば、ＤＲＳ送信パターン又は期間はｅＮＢによってＵＥに表示されることができる。
【００９２】
一部実施形態で、ｅＮＢは望む性能ターゲット、ＵＥ測定レポート、ＤＲＳ送信ヒストリー(ｈｉｓｔｏｒｙ)又はＤＲＳ送信成功確率に基づいてＤＭＴＣ期間のサブセットでＤＲＳ状況を送信することができる。例えば、ｅＮＢは２０ｍｓのＤＭＴＣ期間及び００ｍｓごとにＬ１ＤＲＳ測定の性能ターゲットを設定することができる。ｅＮＢは現在の２００ｍｓ測定ウィンドウ内でｅＮＢがＵＥから成功的なＤＲＳ測定レポートを受信するまですべてのＤＭＴＣ期間でＬＢＴによりＤＲＳ状況を送信しようと試みることができる。
【００９３】
レポートを受信した後、ｅＮＢは性能要件が成功的に充足される場合、測定ウィンドウ内で後続ＤＭＴＣ状況でＤＲＳを送信しないことで判定することができる。さらに、ＵＥは(ｅＮＢが測定期間の残りＤＭＴＣ期間内でＤＲＳ状況をずっと送信することで判定した場合にも)測定期間内にＤＲＳ測定レポートを提供した後、後続ＤＲＳ送信を測定する必要がないことがある。このような方式の利点はＤＭＴＣ期間を４０ｍｓから２０ｍｓに増加してもＵＥに対して設定されたＤＭＴＣ期間、例えば、２００ｍｓごとに５ＤＲＳ送信を適応させながら同様のＤＲＳ送信オーバーヘッドを維持し、望む性能要件ターゲットを満たしながらＵＥでの測定性能及び複雑性負担(ｂｕｒｄｅｎ)を減少させる能力である。
【００９４】
ＤＲＳ測定のためにＵＥにより用いられるビヘイビアー(ｂｅｈａｖｉｏｒ)は明示的シグナリングに基づくことができるかＤＲＳ送信ヒストリー、設定されたＤＭＴＣ期間、測定期間及び／又は性能要件に基づいて暗示的に導出されることができる。例えば、ＵＥは与えられた時間持続期間又はＤＭＴＣ期間の数の間のＤＲＳ測定を中止するためにｅＮＢからインディケーション(ｉｎｄｉｃａｔｉｏｎ)を受信することができる。例えば、ＵＥは設定された測定期間内でＤＲＳ状況を成功的に測定した後、ＤＲＳ測定を自律的に中止することができる。自律的ＤＲＳ測定中止のためのＵＥ能力は上位階層シグナリングにより設定されたりＵＥ能力として表示されることができる。ｅＮＢは上位階層シグナリングを用いてこのような能力を活性化したり非活性化することができる。
【００９５】
ＤＲＳ測定ビヘイビアーを適応させることは、ＣＳＩ測定だけではなくＤＲＳ測定にも適用されることができる。一例で、ＤＲＳ状況の‘ワンショット(ｏｎｅ−ｓｈｏｔ)'探知がサポートされるが、その理由はＤＭＴＣを通じるＰＳＳ／ＳＳＳ／ＣＲＳエネルギー累積がＬＢＴ要件によってＰＳＳ／ＳＳＳ／ＣＲＳが送信されないことがある時、さらに複雑となるからである。
【００９６】
一部実施形態で、周期的ＤＭＴＣ設定はＤＲＳ送信のために維持されるが、ＤＭＴＣ状況内のＤＲＳ送信はＬＢＴにより可変的であることができる。
【００９７】
図１１は、本開示内容の実施形態によるＤＲＳ送信１１００の他の例を示す。図１１に示されたＤＲＳ送信１１００の実施形態は、ただ例示のためのものである。本開示内容の範囲を逸脱することなく他の実施形態が用いられることができる。
【００９８】
図１１に示されたように、ＤＲＳ送信１１００はＬＡＡセル１１１０５、ＬＡＡセル２１１１０及びＷｉＦｉＡＰ１１１５を含む。ＬＡＡセル１１１０５はＣＣＡしきい値に基づいて固定されたバックオフ値(期間)に従ってＤＲＳ状況１１０６ａ、１１０６ｂ、１１０６ｃを送信する。より具体的に、ＤＲＳ状況１１０６ａ、１１０６ｂ、１１０６ｃはＤＭＴＣ期間１１０７)で送信される。しかし、ＤＲＳ状況１１０６ｃはデータを含む送信のためのバックオフ値に対するＣＣＡしきい値と相違するように設定されるＣＣＡしきい値及び固定されたバックオフ値を含むことができるＬＢＴプロトコルによってドロップされる。類似に、ＬＡＡセル２１１１０はＤＲＳ状況１１１１ａ、１１１１ｂ、１１１１ｃを送信する。より具体的に、データの次にそれぞれのＤＲＳ状況１１１１ａ、１１１１ｃがよる。ＤＲＳ状況１１１１ｂはＬＢＴプロトコルによってドロップされ、ＤＲＳ状況１１１１ｃはＬＢＴプロトコルによって移動される。ＷｉＦｉＡＰ１１１５はトラフィック１１１６ａ、１１１６ｂ、１１１６ｃ、１１１６ｄ、１１１６ｅを送信する。
【００９９】
事実上、設定されたＤＭＴＣはＵＥに対する機会主義的探知／測定ウィンドウの役目をする。ＤＭＴＣ状況の間、ＵＥはセルがチャンネルに成功的にアクセスしてＤＲＳを送信することができたのかを探知する必要がある。与えられたセルのＤＲＳ送信のためにＤＭＴＣ内のサブフレーム位置を変化させる能力はいくつかのノードが同時に満足する時、成功的なＤＲＳ送信の確率を増加させる。ＬＢＴプロトコル、具体的にバックオフメカニズムによりＤＭＴＣウィンドウの大きさを増加させると、ＬＴＥシステム設計のＲｅｌ−１２で現在可能なことより相違するコンテンションセルにより多い送信機会が許容されることができる。
【０１００】
設定可能なＤＭＴＣウィンドウはイントラ／インタ周波数ＲＲＭ測定により多いネットワーク柔軟性を提供することで見なされることができる。例えば、ＤＭＴＣウィンドウは(非ライセンスキャリアを含む)１つ以上のキャリアを含む測定対象の一部としてＲＲＣにより設定されることができる。例えば、ＤＭＴＣウィンドウは相違する測定期間又はＤＭＴＣ期間に基づいて設定されることができる。他の例で、ＤＭＴＣウィンドウはＤＲＳ送信のために設定されたＬＢＴ方式及び／又はパラメーターに基づいて設定されることができる。
【０１０１】
一部実施形態で、１つの潜在的な問題はＤＭＴＣを通じるＰＳＳ／ＳＳＳ／ＣＲＳエネルギー累積がＵＥに対して複雑となるということである(ＰＳＳ／ＳＳＳ／ＣＲＳ位置の多数の仮説は多数のＤＭＴＣウィンドウで指数関数的に増加する)。したがって、ＤＲＳ送信接近法とはかかわらずＤＲＳの‘ワンショット' 探知をサポートするのが有益であろう。
【０１０２】
前述したようにＤＲＳ状況に対してより短い期間(例えば、２０ｍｓ)を導入されることはＤＲＳ送信のためにさらに考慮することができる。一実施形態で、ＤＲＳはＲＲＭ測定性能要件を満足させるために成功的な送信の確率を増加させるようにセルによって ‘オンディマンド'から送信されることができる。例えば、ＤＲＳはＯＮ持続期間の開始から送信されることができ、ここで、データ及びＤＲＳは多重化される。例えば、第１サブフレームで設定されたＤＭＴＣ外部にＤＲＳを提供すれば非ライセンスキャリア及びＣＳＩフィードバックに対する時間／周波数同期化を獲得するための付加的な利点が提供される。
【０１０３】
図１２は、本開示内容の実施形態による非周期的ＤＲＳ送信の一例を示す。図１２に示されたように非周期的ＤＲＳ送信１２００の実施形態は、ただ例示のためのものである。本開示内容の範囲を逸脱することなく他の実施形態が用いられることができる。
【０１０４】
図１２に示されたように、非周期的ＤＲＳ送信１２００はＬＡＡセル１１２０５及びＷｉＦｉＡＰ１２１５を含む。ＬＡＡセル１１２０５はＣＣＡしきい値に基づいて固定されたバックオフ値(期間)に従って周期的ＤＲＳ状況１２０６ａ、１２０６ｂ及び非周囲的ＤＲＳ状況１２０８を送信する。より具体的に、ＤＲＳ状況１２０６ａ、１２０６ｂはＤＭＴＣ期間１２０７)(例えば、周期的ＤＲＳ状況)から送信される。しかし、ＤＲＳ状況１２０６ｂはデータを含む送信のためのバックオフ値に対するＣＣＡしきい値と相違するように設定されるＣＣＡしきい値及び固定されたバックオフ値を含むことができるＬＢＴプロトコルによってドロップされる。ＷｉＦｉＡＰ１２１５はトラフィック１２１６ａ、１２１６ｂを送信する。
【０１０５】
ＬＡＡ送信持続期間はシステムトラフィックに反応するので、測定期間はさらに基本ロード基盤装置／フレーム基盤装置(ｌｏａｄ ｂａｓｅｄ ｅｑｕｉｐｍｅｎｔ／ｆｒａｍｅ ｂａｓｅｄ ｅｑｕｉｐｍｅｎｔ；ＬＢＥ／ＦＢＥ)構造及びＬＢＴパラメーターに適応して考慮する必要がる。例えば、長期平均化(ｌｏｎｇ−ｔｅｒｍ ａｖｅｒａｇｉｎｇ)は(例えば Ｓｃｅｌｌａｃｔ／ｄｅａｃｔをサポートするため)ＬＡＡ適合性を決定することに役に立つことができる。長期平均化は測定対象により提供された設定を基盤とすることができ、送信(周波数当たり期間)を介して平均化される。短期平均化は、ＬＡＡスケジューリング判定がキャリア当りロードを追跡するのに役に立つことができる。短期(Ｌ１又はＭＡＣトリガー)はワンショット探知を推定することができる(測定期間はｅＮＢ具現まで)。長期及び短期測定はいずれも非周期的及び／又は周期的測定及びレポートを基盤とすることができる。
【０１０６】
１つの可能な向上(ｅｎｈａｎｃｅｍｅｎｔ)は、単一ＤＲＳ状況に基づいてＲＲＭ測定をサポートすることである。セルからの‘ワンショット’ＤＲＳ探知のサポートはＬＢＴ要件によりセルからの多数のＤＲＳ状況に基づいてＤＲＳ探知の複雑性を回避するのに有益であることができる。例えば、ＤＭＴＣを通じるＰＳＳ／ＳＳＳエネルギー累積はＵＥに対して複雑となり(ＰＳＳ／ＳＳＳ位置の多数の仮説は多数のＤＭＴＣウィンドウで指数関数的に増加する)；したがって、ＤＲＳの‘ワンショット’探知／測定をサポートすることが有益であろう。
【０１０７】
一部実施形態で、単一ＤＲＳ状況に基づいたＵＥ測定レポートはＵＥによるＤＲＳ誤探知イベント(ｍｉｓｄｅｔｅｃｔｉｏｎ ｅｖｅｎｔ)を示すために用いられることができる。例えば、ＤＭＴＣ状況でＤＲＳが探知されると、ＲＳＲＰ／ＲＳＲＱが報告されることができ、そうではなければレポートがないことがあるか、有効ではない値又はＲＳＳＩのような他の測定値を有するレポートが報告されることができる。ＤＲＳは同期化のためにもＵＥにより用いられることができ、したがって、ｅＮＢはｅＮＢのスケジューリング判定でこのような情報を用いることができ、例えば、ｅＮＢはＤＲＳをミッシング(ｍｉｓｓｉｎｇ)したＵＥをスケジューリングしないか、ＵＥが同期化を行う機会を有した後、ＤＬ送信バーストの以後サブフレームでこのようなＵＥだけをスケジューリングすることができる。
【０１０８】
通常的に、測定のＬ１フィルターリング及びＬ３フィルターリングはＵＥで行われ、ここでＬ１フィルターリングは一般的にＵＥ具現までであるが、Ｌ３フィルターリングは測定周期(例えば、正常非−ＤＲＸ接続されたモード動作間２００ｍｓ)ごとに１回Ｌ３に対する平均測定サンプル値の可用性を推定したネットワークにより設定されることができる。しかし、ＬＢＴに基づいたＤＲＳ送信及びＵＥによる誤探知の可能性はフィルターリング動作が複雑にでき、ｅＮＢが誤探知を認識することができない時、測定レポートのｅＮＢ誤解をもたらすことができる。より簡単な測定フレームワークはＵＥからの単一ＤＲＳ状況から測定結果を獲得することで、必要なＬ１及びＬ３フィルターリングを行うためにネットワークに残しておくことができる。
【０１０９】
ｅＮＢ又はＵＥでＬ１フィルターリングのための幾つかの種類オプションがあり得る。一例として、固定された測定期間(例えば、平均化は多様な数のサンプルに対して行われる)が用いられる。他の例として、可変測定期間(例えば、平均化は固定された数のサンプルに対して行われる)が用いられる。また、他の例として、Ｌ１フィルターリング(例えば、ワンショット測定)が用いられない。
【０１１０】
ネットワークが‘ワンショット’測定に基づいて短期又は長期ＲＲＭ測定を容易に構成することができるということが注目されることができる。さらに、ＵＥには長期及び短期ＲＲＭ測定いずれもサポートするために単一又は多数の測定期間が設定されることができる。
【０１１１】
ＣＳＩ−ＲＳを用いてセル／送信ポイント(ｔｒａｎｓｍｉｔ ｐｏｉｎｔ；ＴＰ)探知を行う１つの利点は(隣接セルによるＣＳＩ−ＲＳの高い再使用率(ｒｅｕｓｅ ｆａｃｔｏｒ)及びゼロパワーＣＳＩ−ＲＳ(ＺＰ ＣＳＩ−ＲＳ)設定により)短い時間ウィンドウで多くのセルをはっきりと測定する能力である。しかし、セル間の調整なく、このような特性が維持されるように非ライセンスキャリア上のセル間でＣＳＩ−ＲＳリソースの多重化を達成することが難しいことがある。また、セルディスカバリー及びＲＲＭ測定がＤＲＳ及び相違するＬＢＴ動作のワンショット探知をサポートするために修正されたＤＲＳを考慮することが可能である。
【０１１２】
ＤＲＳ設計の特性、すなわち、測定ウィンドウ内の送信サービング及び隣接セルのマルチプレクシングに対する短い持続期間及びサポートにより、ＤＲＳ送信のためのＬＢＴ設計は相違するＬＢＴ設計／設定がデータ送信に使用される設計に対して考慮されることができる一例である。
【０１１３】
例えば、ＤＲＳ送信のためにコンテンションが行われる時、ランダムに生成された値の代りに(例えば、分散した調整機能フレーム間の空間(ｄｉｓｔｒｉｂｕｔｅｄ ｃｏｏｒｄｉｎａｔｉｏｎ ｆｕｎｃｔｉｏｎ ｉｎｔｅｒ−ｆｒａｍｅ ｓｐａｃｅ；ＤＩＦＳ)のような)別個の単一固定されたバックオフ値が相違するバックオフ値を用いることができるＷｉＦｉ及びＬＡＡデータ送信を含む別の送信よりＤＲＳに優先順位を付与することに用いられることができる。さらに、ＤＲＳ送信がＲＲＭ性能要件に従うから、指数バックオフメカニズムがシステム負荷によって送信タイミングで大きい可変性をもたらすことができるから指数バックオフメカニズムは適合しないこともある。代りに、バックオフを線型的にスケーリングしてバックオフカウンターで最大値を強要することは測定ウィンドウ内で潜在的なＤＲＳ送信を制限するのに用いられることができる。データ及びＤＲＳが送信される必要がある時、これらを単一ＯＮ持続期間内に多重化したり、別個に送信したり、ＤＲＳ送信をドロップすることはｅＮＢに従う。
【０１１４】
さらに、再使用１動作はセルディスカバリー及びＲＲＭをサポートする明白な利点を持つことと見える。これはＵＥが十分な測定を獲得するために非サービングキャリアに同調するのに所要となる必要がある時間の量を減らすのが重要であるから周波数間の(ｉｎｔｅｒ−ｆｒｅｑｕｅｎｃｙ)測定の場合に特にそうである。例えば、ＬＴＥシステムのＲｅｌ−１２に導入したＤＲＳ設計の利点のうちの１つは、ネットワークがＵＥのために設定された同様のＤＭＴＣウィンドウ内で発生するように休眠セル(ｄｏｒｍａｎｔ ｃｅｌｌ)の送信を調整するように許容することである。しかし、ＬＢＴにより、隣接セルがチャンネルがＤＲＳだけを送信するためにコンテンションしていると、ＲＲＭ測定は時間に合うように分散してＲＲＭ性能及び潜在的に不必要なシステム非効率性の減少をもたらすことができる。
【０１１５】
さらに、バックオフカウンター調整及びＣＣＡしきい値適応のようなＬＡＡ−ＬＡＡ共存メカニズムはＤＲＳの固定された構造と短い持続期間によりこのような使用事例(ｃａｓｅ)に適合することができる。
【０１１６】
一部実施形態で、ランダムバックオフカウンターの選択で送信機間の調整はＬＢＴ手続きの一部として使用される。例えば、隣接ＬＡＡノードにはＣＣＡ期間間のバックオフカウンターに対して同一の値が選択されたり割り当てられると、隣接ＬＡＡノードの送信はカウンターが完全に減少する時、オーバーラップ(ｏｖｅｒｌａｐ)される。与えられたノードの送信がクリアチャンネルを示すためにノードで測定されたようにＣＣＡを相変らず要するから、共存手続きはそれぞれのノードにより個別的に相変らず維持される必要がある。
【０１１７】
一部実施形態で、他のデータ送信又は他の探知されたＲＡＴの送信に対してよりＬＡＡセルによるＤＲＳの送信に対して相違する(一例ではより高い、他の例ではより低い)ＣＣＡしきい値を設定することによって増加されたチャンネル再使用が隣接ＬＡＡセルのＤＲＳ送信のために獲得されることができる。ＣＣＡしきい値は、例えば、設定されたＤＭＴＣウィンドウ又はＤＲＳ状況送信中に用いられることができるが、他のしきい値は一例で異なりデータ送信のために用いられる。ＤＲＳ送信のためのＬＢＴ手続きが成功すれば、ＵＥは固定されたバックオフ期間に従うＣＣＡしきい値に基づいてＤＲＳ送信を受信して測定する。
【０１１８】
レガシー(ｌｅｇａｃｙ)ＬＴＥシステムで、ＲＳＲＰ、ＲＳＳＩ及びＲＳＲＱが指定され、ＲＳＲＰ及びＲＳＲＱだけがＵＥによりｅＮＢに報告されることができる。ＲＳＳＩは干渉に対するメトリックの役目ができ、ＲＳＲＰ及びＲＳＲＱレポートからＲＳＳＩを推論することができる。しかし、ＬＡＡ測定信号がキャリア上で送信されなければ、ＲＳＲＰ及びＲＳＲＱレポートはキャリアに対して用いることができない。ＬＡＡに対し、ＵＥＲＳＳＩレポートを含むように既存の測定手続きを確張することのように潜在的干渉測定向上が有益であることができる
【０１１９】
一例で、ＤＲＳが測定ウィンドウ内で送信される時(例えば、測定ウィンドウがＬＡＡＤＭＴＣとして設定される場合)、ＵＥはＲＳＲＰ、ＲＳＲＱ及び／又はＲＳＳＩを報告することができる。ＤＲＳ状況中で、ＤＲＳ状況が(例えば、ＬＢＴにより)ミッシングされると、ＲＳＳＩだけが有効であることができる。ＤＲＳ状況外で(例えばＤＭＴＣ外で)、ＲＳＳＩ測定はチャンネル選択(例えばインター−周波数)及び隠されたノード探知(例えば、イントラ−周波数)に有用することができる。
【０１２０】
非ライセンスキャリア上のＲＳＳＩ測定の定義は、ＤＲＳの存在可否の測定の場合に相違することができる。例えば、時間制限又は測定タイムライン(ｔｉｍｅ−ｌｉｎｅ)情報を提供する方法／可否はネットワークによるレポートの適切な解釈に影響を及ぼす。さらに、ＲＳＳＩレポートのためのトリガーリングメカニズムは特に非サービングキャリア上の測定のために考慮されることができる。
【０１２１】
一例で、ＤＲＳ状況が送信されるサブフレームを含む第１タイプのＲＳＳＩ測定に対する時間／周波数測定制限はＵＥに表されて設定されることができ、ＤＲＳ状況が送信されるサブフレームを含まない第２時間／周波数測定制限インディケーション(ｉｎｄｉｃａｔｉｏｎ)はＵＥのために表されて設定されることができる。さらに、測定及び報告期間、及びトリガーリング条件は相違するＲＳＳＩ測定タイプ間に独立的に設定されることができる。
【０１２２】
図１３は、本開示内容の実施形態による高負荷ダウンリンク及びアップリンクＷｉＦｉトラフィックに対する受信された信号強度インジケータ(ｒｅｃｅｉｖｅｄ ｓｉｇｎａｌ ｓｔｒｅｎｇｔｈ ｉｎｄｉｃａｔｏｒ；ＲＳＳＩ)測定１３００の一例を示す。図１３に示されたＲＳＳＩ測定１３００の実施形態は、ただ例示のためのものである。本開示内容の範囲を逸脱することなく他の実施形態が使用されることができる。
【０１２３】
図１３に示されたように、受信された信号強度インジケータ１３００測定はＵＥＲＳＳＩ１３０５及び時間１３１０を含む。図１３に示されたように、０.０８ミリー秒(ｍｓ)の測定平均粒度(ｇｒａｎｕｌａｒｉｔｙ)又は測定時間単位(ｍｅａｓｕｒｅｍｅｎｔ ｔｉｍｅ ｕｎｉｔ；ＭＴＵ)で１秒(ｓｅｃ)にかけて通常的なＵＥで観察されたＲＳＳＩが提供される。図１３に示されたように、ＭＴＵ大きさはトラフィックモデルのバースト(ｂｕｒｓｔｙ)性質によってＲＳＳＩの急激な変動を捕捉するのに重要な影響を及ぼす。例えば、ＷｉＦｉＡＣＫ持続期間は通常的に１００マイクロ秒(μｓ)未満であることができる。一方、１ｍｓ−５ｍｓ間の平均粒度は長期間にかけたキャリアの全体負荷を推定するに十分な忠実度(ｆｉｄｅｌｉｔｙ)を持つことができる。したがって、ＲＳＳＩが隠されたノードを探知するのに有用であれば、ＭＴＵ持続期間は大略的に最小送信粒度と同様の次数となることができるということが重要である。
【０１２４】
一例で、既存の６ｍｓ測定ギャップ(ｇａｐ)がＲＳＳＩ測定に適用される場合、ＭＴＵの最大平均粒度は期間(例えば、６ｍｓ測定ギャップ)内で制限されることができる。他の例で、１つ以上のＬＴＥＯＦＤＭシンボルはＭＴＵ持続期間を含むことができる。また、他の例で、１つ以上のＣＣＡスロット(例えば、９μｓ)はＭＴＵ持続期間(例えば、８ＣＣＡスロット＝７２μｓＭＴＵ大きさ)を含むことができる。付加的に、平均ＲＳＳＩ測定(例えば、７２μｓの７０ＭＴＵがおおよそ総５ｍｓである)を生成するために集めることができる最大数の連続ＭＴＵが含まれることができる。
【０１２５】
隠されたノード探知をサポートするため、ＲＳＳＩ測定レポートは測定が行われた時に関する時間情報と共にサポートされることができる。ＲＳＳＩ測定タイミング設定(ＲＭＴＣ)は測定持続期間(例えば、５ｍｓ)及び測定間の期間(例えば、４０／８０／１６０ｍｓなど)を示すことができる。多様なシナリオを測定する柔軟性を提供するため、ＲＭＴＣはＤＭＴＣと独立的に設定されることができる。例えば、サービングｅＮＢ(例えば、ＤＭＴＣ内のＤＲＳ)から送信状況間のＲＳＳＩ測定を回避するのが有益なことと見える。
【０１２６】
測定期間(例えば、持続期間)は、ＵＥ能力によって測定ギャップ設定を有するか、有しない周波数間の測定をサポートする周期的測定“ギャップ”から構成されることができる。
【０１２７】
多数のタイプのＲＳＳＩ測定及び／又はレポートがさらにサポートされることができる。例えば、平均ＲＳＳＩ及びチャンネル占有(例えば、ＲＳＳＩがしきい値以上の時間の百分率)の測定はＬＡＡにサポートされることができる。チャンネル占有の報告をサポートするため、多数の ＭＴＵが表された測定期間内に考慮されることができる。期間の長さ、及び、したがって用いられた多数のＭＴＵは測定レポートの望む待機時間(ｌａｔｅｎｃｙ)及びＲＳＳＩ測定が活性ＬＡＡＳＣｅｌｌ上で周期的に行われる初期チャンネル選択又は隠されたノード探知に用いられるかを含む多数の因子(ｆａｃｔｏｒ)に依存することができる。
【０１２８】
直通(ｓｔｒａｉｇｈｔ−ｆｏｒｗａｒｄ)占有メトリック定義は、ＭＴＵｓ＞ＲＳＳＩ_Ｔｈｒｅｓｈの％として提供され、ここで、ＭＴＵｓ及びＲＳＳＩ_Ｔｈｒｅｓｈの％は上位階層(例えば、ＲＲＣシグナリング)により固定されたり設定される。さらに、１つ以上のしきい値又は％値は測定されて報告されることができる。一例で、個々の測定サンプルが報告されることができる。他の例で、個々のサンプルはＲＳＳＩ_Ｔｈｒｅｓｈと比較されることができ、比較の結果はビットマップとして報告される。このような例で、サンプリングされたＲＳＳＩ値がしきい値より大きければ、ビットマップ値は１にセッティングされ、そうではなければそれは０にセッティングされる。ネットワークはＭＴＵサンプルにかけて値をさらに集め、絶対測定値がさらに報告される場合、１つ以上のチャンネル占有メトリック又は平均化されたＲＳＳＩ値を構成することができる。
【０１２９】
一部実施形態で、ＲＭＴＣ設定はＭＴＵ平均大きさ＝５ｍｓ、４０ｍｓの測定ギャップ間隔、３２０ｍｓの測定期間、及びＲＳＳＩ_Ｔｈｒｅｓｈ＝−８２ｄＢｍを含むことができる。測定期間は報告された占有メトリック値の粒度に影響を及ぼす。例えば、４０ｍｓの測定期間はただ１つのＭＴＵ平均期間に依存し、したがって、二分決定(ｂｉｎａｒｙ ｄｅｃｉｓｉｏｎ)である。しかし、４８０ｍｓの測定期間は１２ＭＴＵ平均期間に基づいて、占有メトリック粒度は１／１２である。しかし、相違するトラフィック負荷シナリオ及び測定待機時間要件をサポートするネットワーク柔軟性を収容するため、測定期間の設定するようにするのが望ましい。他の例で、既存のＲＲＭ測定フレームワークによってサポートされることができることと類似の範囲(例えば、４８０ｍｓまでの４０ｍｓの倍数)から測定周期を選択することが有益であることができる。
【０１３０】
ライセンスキャリアの場合、ＣＳＩ報告は周期的であるか非周期的である。しかし、ＬＡＡの場合、ネットワークが適時にＣＳＩフィードバックを獲得するための固有課題(ｕｎｉｑｕｅｃｈａｌｌｅｎｇｅ)がある。例えば、ＣＳＩ測定に用いられるＲＳは非常に低い密度に送信される必要があるか、ｅＮＢがＬＢＴのような規制要件を満足させるチャンネルを成功的に獲得する時、ただ機会主義的に送信されることができる。ｅＮＢが十分な頻度(ｆｒｅｑｕｅｎｃｙ)でチャンネルにアクセスすることができなければ、報告されたＣＱＩ、特に周期的ＣＱＩは古くてネットワークに有用しないこともある。以前のセクションで前述したように付加的にネットワーク状態により差別化する必要がある干渉測定にも同様に適用される。潜在的向上の２個の例はＣＳＩ測定のためのＤＲＳの機能を確張し、同時データ送信なしに非周期的なＣＳＩ−ＲＳ送信をサポートすることである。
【０１３１】
前述したように、ｅＮＢは性能要件、過去の送信ヒストリー又はシステム混雑考慮事項に基づいて与えられたＤＭＴＣ期間内にＤＲＳ状況を送信したり送信しないために選択することができる。例えば、ＤＲＳ上でＣＳＩを測定したり測定しないＵＥビヘイビアーはＲＲＭ測定に用いられたことと同一の明示的又は暗示的メカニズムに基づくことができる。
【０１３２】
他の例で、与えられたＤＭＴＣ状況でＤＲＳに基づいてＵＥがＣＳＩを測定するためのインディケーションは(例えば、設定された測定期間内に測定レポートを予め提供することにより)ＤＭＴＣでＤＲＳ測定をスキップするためにＵＥビヘイビアーをオーバーライド(ｏｖｅｒｒｉｄｅ)できる。また他の例で、ＵＥはＤＲＳに基づいてＣＳＩ測定を提供しながらＤＲＳでＲＲＭ測定を相変らずスキップすることができるか、探知されたＤＲＳに基づいてＣＳＩ及びＲＲＭ測定レポートをさらに提供することができる。また他の例で、相違するシグナリング方法(例えば、物理的対上位階層シグナリング)はそれぞれＤＭＴＣ期間内のＤＲＳ状況でＵＥＲＲＭ及びＣＳＩ測定ビヘイビアーを制御するために用いられることができる。ＵＥが後続ＤＭＴＣ期間でＣＳＩ又はＲＲＭ測定をスキップすることができるかを決定するための有効測定期間はさらに独立的に設定されることができる。
【０１３３】
さらに、多数の潜在的ＬＡＡキャリアはＣＡ能力(例えば、５ＧＨｚ帯域で２ＣＣ能力を有するＵＥに対して１０個の２０ＭＨｚキャリア)を超過するＵＥのために設定されることができる。この場合に、多数のキャリアを通じるＣＳＩ測定のために拡張可能(ｓｃａｌａｂｌｅ)して効率的で適応可能なフレームワークは最新(ｕｐ−ｔｏ−ｄａｔｅ)ＣＳＩフィードバックに基づいてデータスケジューリングのための機会主義的チャンネルアクセス、及び低い待機時間をサポートするのに有用である。さらに、ＣＳＩ測定がトリガーされる方法及び報告条件はライセンスキャリアに対する既存のフレームワークと相違することができる。例えば、チャンネル測定のための有効ＣＳＩ基準サブフレームのタイミングはＯＮ持続期間の有効性に関連されることができるか干渉測定の場合に独立的であることができる。ネットワークがＣＳＩ測定のためのリソースだけでなく報告条件(例えば測定しきい値)を示すためのメカニズムは機会主義的チャンネルアクセス及び動的干渉レベルを収容することができる可能なソリューションである。
【０１３４】
非ライセンススペクトラム上の効率的なデータ送信及びＤＬデータバーストの１つ以上のサブフレーム内の相違する基準シンボル組合に基づいた相違する送信モード(ＴＭ)又は方式をサポートする柔軟性をサポートするため、ｅＮＢがサブフレーム構造、送信モード又は送信方式設定、物理的信号(例えば、ＣＲＳ、ＣＳＩ−ＲＳ、ＰＲＳ、ＰＳＳ、ＳＳＳ、ＤＲＳ)の存在及び設定、１つ以上の物理的信号の送信(信号)電力レベル及び／又はＥＰＲＥ(ｅｎｅｒｇｙ ｐｅｒ ｒｅｓｏｕｒｃｅ ｅｌｅｍｅｎｔ)、ＲＲＭ及び／又はＣＳＩに対する測定制限設定、ＰＤＳＣＨに対する開始ＯＦＤＭシンボルインデックス、又はＰＤＣＣＨ、若しくは制御領域持続期間のような１つ以上のサブフレーム／データバーストにかけた１つ以上の送信パラメーターを適応させる必要がある。
【０１３５】
一部実施形態で、データバースト内の送信パラメーターを適応させ、前述したパラメーターのセット中の１つ以上の明示的な動的シグナリングがＵＥに提供されることができる。これは明示的インディケーションの受信がＵＥにとって復調、チャンネル推定及び測定(ＣＳＩ又はＲＲＭ)を適切に行うように許容するから有益である。
【０１３６】
一部実施形態で、新しいシグナリング設計、新しいＤＣＩフォーマット(Ｕ−ＤＣＩ)は１つ以上の既存のＤＣＩフォーマット内のフィールド、例えば、リソース割り当てフィールド(ＲＡ)のうちの１つ以上に加えてシグナリングされたパラメーターの値を示すために定義されることができる。
【０１３７】
一部実施形態で、Ｕ−ＤＣＩは動的に適応された送信パラメーターを含むことができ、レガシースケジューリング及びリソース割り当てパラメーターを提供することとは別個のＤＣＩフォーマットであることができる。一部実施形態で、予約された値又は既存のＤＣＩフォーマットでのフィールドのジョイントコーディング(ｊｏｉｎｔ ｃｏｄｉｎｇ)はパラメーターをシグナリングするために用いられることができる。
【０１３８】
パラメーターシグナリングの一部実施形態で、表されたパラメーターはＵＥ特定方式(ＤＬ割り当て又はＵＬ承認のための別個の又は同様のＤＣＩフォーマット)で表示されることができる。一部実施形態で、表されたパラメーターは共通制御メッセージ(例えば、セル特定又はＵＥグループ特定)で表示されることができる。例えば、Ｕ−ＤＣＩはＰＤＣＣＨの共通検索空間又は(Ｅ)ＰＤＣＣＨの表された他の共通制御領域に送信されることができる。一部実施形態で、ＵＥ特定及び共通シグナリングの組合が用いられることができる。これはどんなパラメーターが通常的にＵＥ特定して(例えば、設定されたＴＭ又は送信方式)、別のパラメーターがバースト内のすべてのＵＥ(例えば、サブフレーム設定)に共通であるから有益である。
【０１３９】
一例で、Ｕ−ＤＣＩはＵ−ＤＣＩシグナリングのターゲットサブフレームと同一のキャリアでシグナリングされることができる。他の例で、Ｕ−ＤＣＩは他のサービングセル(例えば、ＰＣｅｌｌ又はライセンス帯域からの別のサービングセル)からシグナリングされることができる。また他の例で、Ｕ−ＤＣＩはサブフレームごとに提供されることができる。また他の例で、Ｕ−ＤＣＩは具体的に表示されるか予め定義されたサブフレーム(例えば、バーストの第１サブフレーム又はサブフレーム０及び５でバーストごとに１回)に提供されることができる。また他の例で、Ｕ−ＤＣＩは任意のサブフレーム又はサブフレームのサブセット内の任意のサブフレームで提供されることができる。ＵＥがＵ−ＤＣＩを探知せず(例えば、ＣＲＳポート０又はポート０＆１の存在に基づいた送信のブラインド探知(ｂｌｉｎｄ ｄｅｔｅｃｔｉｏｎ)を介して)ＵＥにより受信されるＤＬ送信がある場合、ＵＥはデフォルト値又は送信パラメーターに対するデフォルト値のセットを推定する。
【０１４０】
さらに、１つ以上のサブフレームに対するどんなパラメーターは同一のＵ−ＤＣＩ内に提供されることができる。例えば、現在サブフレームに対するサブフレーム設定／構造は隣接したサブフレームに付加して提供されることができる(例えば、サブフレームｔから送信されたＵ−ＤＣＩはＴＴＩｓ ｔ−１、ｔ及びｔ＋１、又はＴＴＩｓ ｔ−１及びｔから送信されたサブフレームに対するサブフレーム設定／構造を提供することができる)。これは、ＵＥがサブフレームにかけた動作(例えば、チャンネル推定、ＲＲＭ測定)を行うことができ、サブフレームに対するサブフレーム設定情報を用いる必要があり得るが、ＵＥがバースト内のすべてのサブフレームに対する制御シグナリングをデコーディングすることを要求しない場合に有益である。
【０１４１】
Ｕ−ＤＣＩがサブフレームで提供される時、サブフレームの第１ＯＦＤＭシンボルはＵ−ＤＣＩを搬送するのに用いられることができる。これは、例えば、Ｕ−ＤＣＩがＰＤＣＣＨによって搬送される場合に適合する。Ｕ−ＤＣＩがｅＰＤＣＣＨにより搬送される場合、デフォルト又は予め設定されたｅＰＤＣＣＨＰＲＢはＵ−ＤＣＩを搬送するのに用いられることができる。
【０１４２】
一部実施形態で、どんなサブフレームは明示的な設定シグナリング(例えば、正常ＤＬサブフレーム構造を有するサブフレーム０及び５)を用いる必要なしに固定された構造を有することができる。このようなサブフレームで、ＵＥはサブフレームインデックス又はサブフレーム構造の事前探知に基づいてＵ−ＤＣＩをデコーディングしようと試みる必要がないことがある。一部実施形態で、多数のＵ−ＤＣＩフォーマットはサブフレームインデックス又はネットワーク設定により導入されることができる。ＵＥでデコーディングするために推定されるＵ−ＤＣＩフォーマットは上位階層シグナリングによって盲目的に探知されたり設定されることができる。一部実施形態で、Ｕ−ＤＣＩに対する最小フォーマット大きさはパラメーターの共通セットを有する相違するＵ−ＤＣＩフォーマットによってサポートされることができ、先ずＵ−ＤＣＩ フォーマットの付加的な部分がＵ−ＤＣＩ内のシグナリングに基づいて探知される前にＵＥによりデコーディングされることができるか、サポートされたＵ−ＤＣＩフォーマットの上位階層設定によってデコーディングされることができる。一例で、パラメーターは独立的なフィールドでシグナリングされることができる。他の例で、パラメーターのジョイントエンコーディングは、パラメーター組合のセットがＵＥに対して固定されたり設定される場合に用いられることができる。
【０１４３】
サブフレーム構造は、相違する可能な設定、例えば、正常ＤＬサブフレーム(例えば、非-ＭＢＳＦＮサブフレーム)、ＭＢＳＦＮサブフレーム、又は非ライセンススペクトラム上で動作するキャリアによりサポートされる別の付加的なサブフレーム構造(例えば、減少されたＣＲＳフォトの数(例えば、ポート０だけ)又はＣＲＳを有する減少されたＯＦＤＭシンボルの数(例えば、サブフレームの第１ＯＦＤＭシンボルだけ)；又はＤｗＰＴＳ構造／持続期間を有するサブフレームであることができる減少されたＣＲＳサブフレーム)間に表示されることができる。
【０１４４】
一例で、表１に示されたようにサブフレーム(又はバースト)に対する設定を示すインデックスがシグナリングされることができる。インデックスに対するサブフレーム構造設定のマッピングは、上位階層シグナリング(例えば、ＲＲＣ又はＳＩＢ)により固定されたり提供されることができる。サブフレーム構造が(例えば、バーストの第１ＴＴＩのようなＤＬ送信バーストの開始で)バースト当り又は時間持続期間当り共通シグナリング(例えば、Ｕ−ＤＣＩ)を用いて表示される時、同一のサブフレーム構造は全体送信バーストに対して推定されることができる。
【０１４５】
【表１】
0006803848.tif 000005
【０１４６】
他の例で、ＤＬ送信バースト内のそれぞれのサブフレームのサブフレーム構造を示すビットフィールドがあり得る。このような例で、ただ２個のサブフレーム構造(例えば、正常ＤＬサブフレーム及びＭＢＳＦＮサブフレーム)が定義されると、０及び１のビットマップがあり得て、ここで、それぞれのビットはバーストのサブフレームに対応してＵＥに表示されることができる。
【０１４７】
また、他の例で、サブフレーム構造がサブフレーム当り共通シグナリングを用いて表示される時、ジョイントコーディングは、例えば、ＰＣＦＩＣＨを用いてＰＤＣＣＨ及びサブフレームタイプに対するＯＦＤＭシンボル数に対して行うことができる。それぞれのＣＦＩ値はＰＤＣＣＨ ＯＦＤＭシンボルの数及びサブフレームタイプ(例えば、ＭＢＳＦＮ又は非-ＭＢＳＦＮサブフレーム)の組合でマッピングされることができる。ジョイントコーディングの例は、表１ａ及び表１ｂに示す。他の例がさらに可能である。
【０１４８】
【表１ａ】
0006803848.tif 000006
【表１ｂ】
0006803848.tif 000007
【０１４９】
また他の例で、ＤｗＰＴＳ／部分サブフレーム持続期間のようなサブフレーム構造はＵ−ＤＣＩで表示される。表されたＤｗＰＴＳ／部分サブフレーム持続期間は値の範囲{３、６、９、１０、１１、１２、１４}の全体又はサブセットうちの１つであることができる。ＤｗＰＴＳ／部分サブフレームにマッピングするＵ−ＤＣＩ信号値は表１ｃに与えられる。このような例で、Ｕ−ＤＣＩは、例えば、共通ＲＮＴＩでスクランブリングされたＤＣＩフォーマット１Ｃを用いてシグナリングされることができる(例えば、新しいＲＮＴＩ又はｅＩＭＴＡ−ＲＮＴＩが再使用されることができる)。このような例で、Ｕ−ＤＣＩはまたＲＲＣにより設定されたＰＨＩＣＨリソースを用いてシグナリングされることができる。
【０１５０】
【表１ｃ】
0006803848.tif 000008
【０１５１】
また他の例で、Ｕ−ＤＣＩ情報はＤＬ割り当て又はＵＬ承認のようなＵＥ特定ＤＣＩフォーマットに含まれることができる。ＵＥはＵ−ＤＣＩシグナリングのターゲットサブフレームが送信バーストの最後のサブフレームであるかを決定するためにＵ−ＤＣＩ情報を用いることができる。ＵＥがＣＲＳ及び／又はＣＳＩ−ＲＳ(ＥＰＲＥ)の送信電力が送信バースト当り同一であるが２個の相違するバースト間で変化されることができると推定することができる時、バーストが終了する時を決定することは(例えば、ＣＲＳ基盤復調のための)チャンネル推定及び (例えば、ＵＥが現在のサブフレームのＣＲＳ／ＣＳＩ−ＲＳとのチャンネル補間又は測定平均化のために未来のサブフレームのＣＲＳ又はＣＳＩ−ＲＳを推定したり用いることができるか)ＣＳＩフィードバックでＵＥを補助することができる。
【０１５２】
１４個のＯＦＤＭシンボルより短い持続期間を示すＵ−ＤＣＩを受信すると、ＵＥはＵ−ＤＣＩシグナリングのターゲットサブフレームが送信バーストの最後のサブフレームと推定することができる。しかし、ＵＥがサブフレームｎに対して１４個のＯＦＤＭシンボルを示すＵ−ＤＣＩを受信すれば、ＵＥはＵ−ＤＣＩシグナリングのターゲットサブフレームが送信バーストの最後のサブフレームであるかを決定するためにサブフレームｎ＋１(例えば、第１ＯＦＤＭシンボル)でＣＲＳポート０又はポート０＋１の存在を探知する必要があり得る。特に、サブフレームｎは１４個のＯＦＤＭシンボルであることで表され、ＣＲＳポート０又はポート０＋１がサブフレームｎ＋１の第１ＯＦＤＭシンボルに存在すれば、ＵＥはサブフレームｎ及びｎ＋１が同一送信バーストに属すると推定することができ；そうではなければサブフレームｎが１４個のＯＦＤＭシンボルであることで表され、ＣＲＳポート０又はポート０＋１がサブフレームｎ＋１の第１ＯＦＤＭシンボルに存在しなければ、サブフレームｎは送信バーストの最後のサブフレームである。
【０１５３】
また他の例で、１４個のＯＦＤＭシンボル(全体サブフレームが表示される)である時、サブフレームが送信バーストの最後のサブフレームであるか否かがさらい表１ｄに表示される。代案として、サブフレームｎから送信されたＵ−ＤＣＩはサブフレームｎ＋１でのサブフレーム構造(全体又はＤｗＰＴＳ／部分サブフレーム構造)を示す。この場合、０ＯＦＤＭシンボル(ＤＴＸ)はさらに例えば、表１ｅに示されたように表示されることができる。
【０１５４】
【表１ｄ】
0006803848.tif 000009
【表１ｅ】
0006803848.tif 000010
【０１５５】
また他の例で、サブフレームｎで送信されたＵ−ＤＣＩはサブフレームｎ及びサブフレームｎ＋１でのサブフレーム構造(全体又はＤｗＰＴＳ／部分サブフレーム構造)を示す。このような例で、サブフレームｎでのＵ−ＤＣＩは表１ｃによるサブフレームｎに対する値及び表１ｅによるサブフレームｎ＋１に対する値を示すことができる。ある場合に、現在サブフレーム／部分サブフレームが送信バーストの最後のサブフレームの場合、チャンネルアクセスの不確実性でよって、ネットワークは次のサブフレームのサブフレーム構造を予測することができない。この場合、Ｕ−ＤＣＩが現在サブフレームｎ(又は全体サブフレームだが最後のサブフレーム)に対して＜１４ＯＦＤＭシンボル(全体サブフレーム)を表されると、サブフレームｎ＋１のサブフレーム構造に対するビットフィールドは(同一の制御チャンネル大きさ又はＤＣＩフォーマット大きさを維持するため)予約され、ＵＥはそれをデコーディングすることができない。
【０１５６】
このような例から、代案としてサブフレームｎ＋１に対するビットフィールドは存在しない。Ｕ−ＤＣＩはＬＡＡサービングセルから表示されることができるか、別のサービングセル、例えば、ＰＣｅｌｌ又はライセンス帯域からの別のサービングセルから表示されることができる。
【０１５７】
また他の例で、Ｕ−ＤＣＩが別のサービングセルから表示される時、０ＯＦＤＭシンボル(ＤＴＸ)が表１ｅに示されたようにさらに表示されることができる。ＵＥがサブフレームｎに対して１４より小さいＯＦＤＭシンボル数に表示されると、ＵＥはサブフレームｎが送信バーストの最後のサブフレームと推定する。
【０１５８】
サブフレーム構造を示すＵ−ＤＣＩはすべてのＤＬサブフレームで提供／送信(ここで、送信は例えば、ＬＢＴにより発生するように許容される)されることができるか、具体的に表示されるか予め定義されたサブフレーム(例えば、バーストの第１サブフレーム、又はサブフレーム０及び５でバーストごとに１回)が提供されることができる。一例で、Ｕ−ＤＣＩは任意のサブフレーム又はサブフレームのサブセット内の任意のサブフレームで提供されることができる。ＵＥがＵ−ＤＣＩを探知せず(例えば、ＣＲＳポート０又はポート０＆１の存在に基づいた送信のブラインド探知を介して)ＵＥにより受信されるＤＬ送信がある場合、ＵＥはデフォルト値又はサブフレーム構造に対するデフォルト値のセットを推定する。
【０１５９】
このような例で、Ｕ−ＤＣＩが探知されなければ、ＵＥは現在のサブフレームが完全なサブフレーム(正常ＣＰに対して送信された１４個のＯＦＤＭシンボル)と推定することができる。このような例で、代案としてＵＥは現在のサブフレームだけではなく次のサブフレームが完全なサブフレームと推定することができる。このような例で、代案としてＵＥは次のサブフレームが完全なサブフレームと推定することができる。サブフレーム構造を示すビットフィールドは未来のＬＴＥシステムで(新しいＯＦＤＭシンボル数のような)新しいサブフレーム構造を示すために用いられることができる一部予約された状態を含むことができる。
【０１６０】
ＵＥが(例えば、ＵＥが未来のＬＴＥシステムをサポートする基地局によってサービスされる場合に発生することができる)‘予約された(ｒｅｓｅｒｖｅｄ)'状態となるようにサブフレーム構造をデコーディングすれば、ＵＥはデフォルト値を推定することができる(例えば、デフォルト値は最小ＯＦＤＭシンボルであることができる)。ＵＥが新しいＯＦＤＭシンボルの数に基づいた動作をサポートしないこともあるからＵＥはサブフレームでスケジューリングされることで予想されることができない。代案としてＵＥは制御シグナリングが正確にデコーディングされないことで見なし、シグナリングを廃棄する。
【０１６１】
相違する送信モード又は送信方式のサポートはＵＥ能力であることができ、それにネットワークはどんな送信モードだけをサポートしたり設定するように選択することができる。このようなサポート又は設定は与えられたネットワーク、キャリアに対して固定されることができるか、送信バーストごとに変わることができる。一例で、サポートされたり設定されたＴＭ又は送信方式のインディケーションは(例えば、ＲＲＣにより)ＵＥに反正的にシグナリングされたりシステム情報によって提供されることができる。他の例で、サポートされたＴＭ又は送信方式はＵ−ＤＣＩでＵＥに表示されることができる。動的シグナリングが自分の能力に基づいて１つ以上のバーストで相違するＵＥをスケジューリングするためのネットワーク柔軟性を提供することができるから動的シグナリングは有益である。サブフレームシグナリングのように、一セットのインデックスはＵＥ共通又はＵＥ特定シグナリングを介して相違するＴＭ(又は送信方式)又はＴＭのセット(又は送信方式)にマッピングされることができる。表２、及び表３ａ及び３ｂに示されたように、相違するＵＥはＵＥ能力シグナリングの一部としてさらに設定されることができる上位階層設定に基づいてインデックスマッピングのために相違するＴＭセットと設定されることができる。
【０１６２】
【表２】
0006803848.tif 000011
【表３ａ】
0006803848.tif 000012
【表３ｂ】
0006803848.tif 000013
【０１６３】
また他の例で、さらにネットワークスケジューリング柔軟性を考慮するようにすべての送信モード(例えば、ＬＴＥシステムのＲｅｌ−１２に定義されたＴＭ１−１０)のサポートを示すインデックスがあり得る。ＵＥ共通又はＵＥ特定シグナリングに表されたＴＭ設定が与えられると、ＵＥはＴＭ設定に対応するＤＣＩフォーマット(ＤＬ割り当て又はＵＬ承認)に対してモニタリングすることができる。ＴＭ又は送信方式設定のシグナリングは、さらにどんな物理的信号又はサブフレーム構造、例えば、ＣＲＳの存在を暗示的に示すことができる。例えば、ＣＲＳ基盤送信モード／方式が表示されると、ＣＲＳは正常又は非-ＭＢＳＦＮサブフレーム構造(又はこれと同等に、サブフレーム構造は非-ＭＢＳＦＮである)によって存在することに推定される。
【０１６４】
一部実施形態で、サブフレーム構造のインディケーションに付加し、ＣＲＳ、ＣＳＩ−ＲＳ、ＰＲＳ及び／又はＰＳＳ／ＳＳＳのような相違する信号の存在は相違する可能な設定の間に表示されることができる。一例で、ＵＥは信号のブラインド探知を要せずバースト内のサブフレームを介してＣＳＩ又はＲＲＭ測定をすることを補助するために１つ以上のバーストにサブフレームの存在を示すことができる。さらに、ＣＲＳの存在を示すシグナリングも例えば、ＭＵ−ＤＣＩでポートの数を示すことができる。他の例で、シグナリングは物理的信号を含むＯＦＤＭシンボルのセットのような物理的信号の設定を示す。このような例で、ＤＬＴＴＩはＣＲＳを有する１つのＯＦＤＭシンボル(例えば、ＤＬＴＴＩの第１ＯＦＤＭシンボル)を常に含むことができ、シグナリングは付加的なＯＦＤＭシンボルがあるか、又は付加的なＯＦＤＭシンボルがさらにＣＲＳとマッピングされるかを示す。ＯＦＤＭシンボルで送信された多数のＣＲＳ(例えば、ＣＲＳ−ポート０又はＣＲＳ−ポート０＋１)は付加的に表示されることができる。
【０１６５】
信号存在がサブフレーム土台(ｓｕｂｆｒａｍｅ ｂａｓｉｓ)で示される時、近付く(ｕｐｃｏｍｉｎｇ)サブフレーム(例えば、次のサブフレーム)で信号存在を示すことが有益であることができ、よって、ＵＥは現在サブフレームに対する信号処理(例えば、ＣＲＳ基盤チャンネル推定のための補間)のために次のサブフレームの物理的信号を効率的に用いるように可能となる。さらに、物理的信号存在のインディケーションは、さらにシグナリングが適用可能なサブフレームに対してサポートされるか、設定される送信モード又は送信方式を示すことができる。例えば、ＣＲＳが正常サブフレーム又は非-ＭＢＳＦＮサブフレームによりＲＥマッピングで存在することで表示されると、ＣＲＳ基盤送信モード又は方式は設定／サポートされて；ＣＲＳ基盤送信モード／方式に設定されたＵＥはＤＬ割り当てのためのＤＣＩフォーマットをモニタリングするように要求されて；そうではなければＵＥはＤＬ割り当てのためのＤＣＩフォーマットをモニターする必要がない。
【０１６６】
多数のＰＤＣＣＨ ＯＦＤＭシンボル及び物理的信号存在のジョイントコーディングは、表１ａ及び表１ｂと類似のＣＦＩを用いて行われることができ、ＣＳＩ−ＲＳに対しても拡張されることができ、ここでＣＳＩ−ＲＳ設定は上位階層によって表示されることができるが、Ｕ−ＤＣＩは設定されたＣＳＩ−ＲＳのうちの１つ以上がサブフレームに存在するか、又は送信バーストに存在するかを示す。
【０１６７】
ＰＳＳ／ＳＳＳの存在は(ＰＳＳ／ＳＳＳ／ＣＲＳ及び選択的にＣＳＩ−ＲＳから構成される)ＤＲＳが設定されたＤＭＴＣの内部又は外部にあるＤＬ送信バーストと多重化されるかと密接に関連されることができる。一例で、ＰＳＳ／ＳＳＳの存在は明示的にシグナリングされることができる。他の例で、Ｕ−ＤＣＩでのシグナリングはＤＲＳがサブフレームに存在するのか、又はバーストに存在するか否かを示すことができ、これはＤＲＳ設定(例えば、ＤＲＳ送信のための１つ以上の時間位置)により表されたサブフレーム内のＰＳＳ／ＳＳＳの存在を暗示的に示す。サブフレーム構造シグナリングと類似にサブフレームｎから送信されたＵ−ＤＣＩはサブフレームｎでＰＳＳ／ＳＳＳ又はＤＲＳの存在／不在を示すことができるか、サブフレームｎで送信されたＵ−ＤＣＩはサブフレームｎだけでなくサブフレームｎ＋１(別個で)からＰＳＳ／ＳＳＳ又はＤＲＳの存在／不在を示すことができる。また他の例で、Ｕ−ＤＣＩはＰＳＳ／ＳＳＳ又はＤＲＳの存在だけでなくサブフレームｎ又はサブフレームｎ＋１のようなターゲットサブフレームを示すことができる。
【０１６８】
ライセンスキャリア上のＵＥはダウンリンクセル特定ＲＳ ＥＰＲＥ(ｒｅｆｅｒｅｎｃｅ ｓｉｇｎａｌ ｅｎｅｒｇｙ ｐｅｒ ｒｅｓｏｕｒｃｅ ｅｌｅｍｅｎｔ)がダウンリンクシステム帯域幅にかけて一定で、相違するセル特定ＲＳ電力情報が受信されるまですべてのサブフレームにかけて一定すると推定することができる。ダウンリンクセル特定基準信号ＥＰＲＥは、上位階層によって提供されたパラメーターｒｅｆｅｒｅｎｃｅＳｉｇｎａｌＰｏｗｅｒによって与えられたダウンリンク基準信号送信電力から導出されることができる。ダウンリンク基準信号送信電力は運営体制帯域幅内でセル特定基準信号を搬送するすべてのリソース要素の電力寄与(ｐｏｗｅｒ ｃｏｎｔｒｉｂｕｔｉｏｎ)([Ｗ])に対する線型平均として定義される。しかし、ｅＮＢはデータバースト内のサブフレーム又はバーストにかけた送信電力を変化させるのを望むことができるから、ＥＰＲＥはこのようなサブフレームにかけて一定しないこともあり、ＲＳ電力情報に係るパラメーターの動的シグナリングは、復調を補助するだけでなくＣＳＩ又はＲＲＭ測定(例えば、ＲＳＲＰ)をするためにＵＥに提供されることができる。
【０１６９】
一部実施形態で、パラメーターｒｅｆｅｒｅｎｃｅＳｉｇｎａｌＰｏｗｅｒはＵ−ＤＣＩ内の非ライセンスキャリアに対して、若しくはシステム情報メッセージにより表示されることができる。例えば、ライセンスキャリアに提供されたパラメーターと区別するため、非ライセンスキャリアに係る新しいパラメーターが表示されることができる(例えば、ｒｅｆｅｒｅｎｃｅＳｉｇｎａｌＰｏｗｅｒＵｎｌｉｃｅｎｓｅｄ)。一例で、ｒｅｆｅｒｅｎｃｅＳｉｇｎａｌＰｏｗｅｒＵｎｌｉｃｅｎｓｅｄの絶対範囲は、ｒｅｆｅｒｅｎｃｅＳｉｇｎａｌＰｏｗｅｒと相違することができる。他の例で、ｒｅｆｅｒｅｎｃｅＳｉｇｎａｌＰｏｗｅｒＵｎｌｉｃｅｎｓｅｄの値はｒｅｆｅｒｅｎｃｅＳｉｇｎａｌＰｏｗｅｒからのオフセットとして表示されることができる。また他の例で、ｒｅｆｅｒｅｎｃｅＳｉｇｎａｌＰｏｗｅｒＵｎｌｉｃｅｎｓｅｄの絶対値は動的又は上位階層シグナリングにより表された基準キャリアに提供されることができるが、ＲＳ電力はｒｅｆｅｒｅｎｃｅＳｉｇｎａｌＰｏｗｅｒＵｎｌｉｃｅｎｓｅｄＯｆｆｓｅｔを介して絶対電力に対するオフセットとして残りキャリアに表示される。また他の例で、基準電力ｒｅｆｅｒｅｎｃｅＳｉｇｎａｌＰｏｗｅｒＵｎｌｉｃｅｎｓｅｄは上位階層シグナリング(例えば、ＲＲＣ)により提供されることができるが、ＲＳ電力は(実際基準電力がｒｅｆｅｒｅｎｃｅＳｉｇｎａｌＰｏｗｅｒＵｎｌｉｃｅｎｓｅｄ (ｄＢｍ) ＋ｒｅｆｅｒｅｎｃｅＳｉｇｎａｌＰｏｗｅｒＵｎｌｉｃｅｎｓｅｄＯｆｆｓｅｔ(ｄＢ)によって与えられるように)ｒｅｆｅｒｅｎｃｅＳｉｇｎａｌＰｏｗｅｒＵｎｌｉｃｅｎｓｅｄＯｆｆｓｅｔを介して基準電力に対するオフセットとして動的に表示される。
【０１７０】
トリガーリング条件がゼロ電力オフセット推定に基づいて設定されたことがあるからＵＥは設定されたトリガーリング条件と比べる時、測定されたＲＳＲＰを調整するために表された基準信号電力オフセットを用いることができる。一例で、ｒｅｆｅｒｅｎｃｅＳｉｇｎａｌＰｏｗｅｒＵｎｌｉｃｅｎｓｅｄＯｆｆｓｅｔがＲＳＲＰ／ＲＳＲＱ測定を生成するＣＲＳ測定のためにシグナリングされて適用されると、トリガーリング条件に対して評価される有効なＲＳＲＰ(ＲＳＲＱ)を生成するためにＲＳＲＰ(ＲＳＲＱ)−ｒｅｆｅｒｅｎｃｅＳｉｇｎａｌＰｏｗｅｒＵｎｌｉｃｅｎｓｅｄＯｆｆｓｅｔによって測定が調整されることができる。ＵＥは調整されないＲＳＲＰ(ＲＳＲＱ)結果を相変らず報告することができ、ネットワークは有効なＲＳＲＰ(ＲＳＲＱ)を獲得するために調整を行うことができる。他の例で、ＵＥは調整されたり有効なＲＳＲＰ(ＲＳＲＱ)結果を報告することができる。また他の例で、ＵＥが適用された相違するＣＲＳ電力レベルで測定されたＣＲＳに対するＲＳＲＰ／ＲＳＲＱ測定を平均するのを望むと、ＵＥは適切な平均を行うために表されたＣＲＳ電力レベルを用いることができる。このような例で、相違するオフセット(Ｏｆｆ１及びＯｆｆ２)が表示される２個の別個の測定(ＲＳＲＰ１及びＲＳＲＰ２に対してＵＥで測定された平均受信された信号電力は(ＲＳＲＰ１＋Ｏｆｆ１＋ＲＳＲＰ２＋Ｏｆｆ２／２によって与えられる。
【０１７１】
一部実施形態で、データバーストでＲＳ信号電力に対する基準は１つ以上の非ライセンスキャリア上のＤＲＳ送信であることができる。例えば、ＲＲＣシグナリングにより提供されるパラメーターｒｅｆｅｒｅｎｃｅＳｉｇｎａｌＰｏｗｅｒは与えられたキャリア上のＤＲＳの送信電力であることができ、代案として(ＲＲＣによって反正的に設定されることができる)ｒｅｆｅｒｅｎｃｅＳｉｇｎａｌＰｏｗｅｒＤＲＳのような別個のパラメーターで提供されることができ、ｒｅｆｅｒｅｎｃｅＳｉｇｎａｌＰｏｗｅｒＵｎｌｉｃｅｎｓｅｄＯｆｆｓｅｔはＤＲＳ送信電力と関して送信バースト内の基準信号電力を示す。基準信号電力は、さらにサービングセル測定又は同一であるか、相違するオペレーターの隣接セル測定に対して相違することができる。一例で、ｒｅｆｅｒｅｎｃｅＳｉｇｎａｌＰｏｗｅｒＵｎｌｉｃｅｎｓｅｄ(Ｏｆｆｓｅｔ)に加えて、ｒｅｆｅｒｅｎｃｅＳｉｇｎａｌＰｏｗｅｒＵｎｌｉｃｅｎｓｅｄＮｅｉｇｈｂｏｒ(Ｏｆｆｓｅｔ)がさらにネットワークにより設定されることができる。このような例で、付加的なパラメーターはＤＲＳ送信にだけ適用することができるか、設定されたＤＭＴＣ内で送信される隣接セルからＰＳＳ／ＳＳＳ／ＣＲＳを含む送信バーストに付加的に適用することができる。
【０１７２】
ＤＲＳの送信電力はＤＲＳ送信のために同時に用いられるキャリアの数によって一定であるか変わることができる。規制(ｒｅｇｕｌａｔｏｒｙ)又は具現制約(ｉｍｐｌｅｍｅｎｔａｔｉｏｎ ｃｏｎｓｔｒａｉｎｔｓ)により、例えば、４個のキャリアがＤＲＳ送信のために用いられる場合、キャリア当り用いられた電力が単一キャリー上のＤＲＳ送信のために用いられることができる電力の１／４であることを意味することができるすべて電力制約が施行(ｅｎｆｏｒｃｅ)されることができる。
【０１７３】
一実施形態で、最大数のキャリアが同時に用いられる時、用いられた電力である一定のＤＲＳ送信電力が用いられる。例えば、総４個のキャリアが同時に用いられることができる場合、ＤＲＳ送信電力はすべてのキャリアが与えられたＤＲＳ送信に実際に用いられるか否かにかかわらずすべて電力の１／４であることで表示される。これはＵＥが次の設定アップデート(例えば、ＲＲＣ又はＳＩＢにより提供される場合)までＤＭＴＣごとにＤＲＳの基準信号電力が分かるように許容されるから有益である。しかし、それはＤＲＳに対する集めたキャリアの最大数未満が用いられる時、データバーストがキャリア上に許容された全体送信電力を用いた場合にＤＲＳ及びデータバーストのカバレッジ不一致(ｃｏｖｅｒａｇｅ ｍｉｓｍａｔｃｈ)が発生することができるから望まないこともある。
【０１７４】
他の実施形態で、ＤＲＳ送信のために用いられた多数のキャリアはＤＲＳ送信状況ごとに、又は多数のＤＲＳ送信状況ごとに、もしくはどんな時間周期ごとに表示されることができる。ＵＥが最大ＤＲＳ電力レベルと設定されると、キャリア当り電力は表されたキャリア間の同一電力共有を前提として導出されることができる。
【０１７５】
また他の実施形態で、与えられたＤＲＳ状況に用いられるキャリアの数を暗示敵に示すＤＲＳ電力レベルの多数の値が設定されて／されたりシグナリングされることができる。これは、例えば、ＤＲＳのＤＬ基準信号電力レベルであるＵＥでの復調及び測定を助けること以外に、サポートされる場合、非ライセンスキャリア上のＵＬ送信に有利することができる。例えば、ＵＬ送信のためにＵＥにより用いられる送信電力制御はＤＲＳのようなＤＬ信号に基づいて測定された経路損失(ｐａｔｈ ｌｏｓｓ；ＰＬ)に基づくことができる。しかし、ＵＥは表されたＴｘ電力とＵＥ測定されたＲｘ電力間の相対的差であるＰＬを決定する基準として明示的又は暗示的に表されたＤＲＳ電力を要する。
【０１７６】
前述したように、表されたパラメーターは明示的シグナリング(例えば、Ｕ−ＤＣＩ又はＤＲＳサブフレームで送信された制御チャンネル)と同一サブフレームに対することであることができ、さらに、以前又は以後のサブフレームに対する基準電力を含むことができる。さらに、基準電力は絶対値であることができるか、Ｕ−ＤＣＩ又は上位階層設定されたパラメーターに提供された基準電力に対する差分値(ｄｉｆｆｅｒｅｎｔｉａｌ ｖａｌｕｅ)であることができる。
【０１７７】
データ送信を復調するため、特に直交振幅変調(ｑｕａｄｒａｔｕｒｅ ａｍｐｌｉｔｕｄｅ ｍｏｄｕｌａｔｉｏｎ；ＱＡＭ)が用いられる場合に、基準信号とデータ信号間の相対的電力はＵＥで知られることができる。それぞれのＯＦＤＭシンボルに対する(ＥＰＲＥが０であるＰＤＳＣＨ ＲＥには適用可能ではない)ＰＤＳＣＨ ＲＥ中でＰＤＳＣＨ ＥＰＲＥ対セル特定ＲＳ ＥＰＲＥの割合はＵＥ特定のρＡ又はρＢのうちのいずれか１つによって表示される。レガシーキャリア上で、ρＡ及びρＢの適用可能性は、シンボル土台ごとに(ｐｅｒ−ｓｙｍｂｏｌ ｂａｓｉｓ)サブフレーム内で変わって、対応するＰＤＳＣＨ ＥＰＲＥ対セル特定ＲＳ ＥＰＲＥの割合がρＡ又はρＢのうちのいずれか１つによって表示されるスロット内のＯＦＤＭシンボルインデックスはシンボルインデックス、アンテナポートの数及びＣＰ大きさに基づいてＵＥで知られる。
【０１７８】
絶対ＥＰＲＥに対するρＡの関係は、さらに上位階層により設定されるＰＡによって与えられる。ρＡ及びρＢの割合はＰＢ、上位階層によってシグナリングされるセル特定パラメーターＰＢ、及び設定されたｅＮｏｄｅＢセル特定アンテナポートの数によってインデクシングされる。
【０１７９】
一部実施形態で、ＰＡ及びＰＢの値は上位階層により設定される代りにＵＥに動的に表示されることができる。例えば、ＰＡ及びＰＢはＵ−ＤＣＩでシグナリングされることができ；これはＵＥが測定サブフレームでスケジューリングされなくても(ＣＲＳ基盤送信モードと設定された)ＵＥがＣＲＳ基盤ＣＳＩ測定のためのＰＡ及びＰＢが分かる必要があることができる時に有利である。
【０１８０】
一例で、ＰＡ及びＰＢはＤＬ割り当てのためにＤＣＩフォーマットでシグナリングされることができ；これは(ＣＲＳ基盤送信モードと設定された)ＵＥがさらにＤＬ割り当てにスケジューリングされるサブフレームでＣＲＳ基盤ＣＳＩを測定するために要求されたりＵＥがＣＳＩ測定のためではなく復調のために動的にシグナリングされたＰＡ及びＰＢを用いる場合に有用である。このような例で、ＣＳＩ測定のためにＵＥにより推定されたＰＡ及びＰＢは相変らず上位階層設定により与えられる。
【０１８１】
他の例で、ＰＢはＵ−ＤＣＩでシグナリングされることができ、ＰＡはＤＬ割り当てのためにＤＣＩフォーマットでシグナリングされることができる。また他の例で、ＰＡはＵ−ＤＣＩでシグナリングされることができ、ＰＢはＤＬ割り当てのためにＤＣＩフォーマットでシグナリングされることができる。また他の例で、ＰＡは上位階層シグナリングにより設定されることができるが、ＰＢは動的に表示されることができる。また他の例で、ＰＢは上位階層シグナリングにより設定されることができるが、ＰＡは(例えば、ＤＬ割り当てのためのＤＣＩフォーマットから)動的に表示されることができる。これは絶対ＥＰＲＥ値(ＰＤＳＣＨ 及び／又はＣＲＳ)が動的に変更されることができてもＰＢが動的に設定される必要がないことがあるが、ＰＡがＰＤＳＣＨの動的電力制御ができるように動的に変更される必要があり得るから有益である。
【０１８２】
サブフレーム(サブフレームｎ)のＰＡの動的インディケーションのために、ＵＥがサブフレームｎ＋１のＣＲＳ、例えばチャンネル推定目的を利用するようにサブフレームｎ及び次のサブフレームである(サブフレームｎ＋１)のＣＲＳＥＰ ＲＥのＰＤＳＣＨ ＥＰＲＥの割合を示すことがさらに有益であることができる。また、類似の理由でサブフレームｎのＰＤＳＣＨ ＥＰＲＥと以前サブフレーム(サブフレームｎ−１)のＣＲＳＥＰ ＲＥの割合を示すことが有益であることができる。ＣＳＩ−ＲＳの場合に、ＥＰＲＥ割合は値ＰＣに基づいて表され、以前の代案がさらに値を動的に示すために用いられることができるということが注目されることができる。値ＰＣ(又は設定された基準値に対するオフセット)は当該ＣＳＩフィードバック及びＰＣをリクエストするＤＣＩフォーマットに含まれることができる。ＰＡ、ＰＢ及びＰＣの値の範囲はライセンススペクトラム上のキャリアに対して設定された値と相違して関係ないことがあるということが注目されることができる。
【０１８３】
さらに、ρＡ及びρＢの割合の１つ以上の可能な値はライセンスキャリアで用いられる割合の値と関係ない上位階層シグナリングにより固定されたり設定されることができる。割合は表４に示されたように割合の絶対値又は１つ以上の割合の上位階層設定にマッピングされたインデックスに対応することができる明示的なシグナリングで動的に表示されることができる。
【０１８４】
【表４】
0006803848.tif 000014
【０１８５】
前述したように、レガシーキャリー上、当該ＰＤＳＣＨ ＥＰＲＥ対セル特定ＲＳ ＥＰＲＥの割合がρＡ又はρＢで表示される非-ＭＢＳＦＮサブフレームのスロット内のＯＦＤＭシンボルインデックスはＵＥがシンボルインデックス、設定されたアンテナポートの数及びＣＰ大きいを分かるために要求する。アンテナポートの数及びＣＰ大きさが(動的又は上位階層シグナリングにより)ＵＥにシグナリングされることができるか(例えば、サブフレーム構造又はＲＳ存在探知に基づいて)ＵＥにより暗示的に決定されることができると、ＵＥは表５に与えられたように固定されたり設定されたマッピングを適用することができる。
【０１８６】
【表５】
0006803848.tif 000015
【０１８７】
一部実施形態で、ＵＥはρＡ又はρＢに対応するＯＦＤＭシンボルインデックスのセットによって直接的に示されることができるか、表６に示されたように上位階層シグナリングによって固定されたり設定されるセットでＯＦＤＭシンボルインデックスの与えられたセットに対するインデックスで表示されることができる。
【０１８８】
【表６】
0006803848.tif 000016
【０１８９】
一部実施形態で、ＵＥはただρＡ又はρＢに対するインデックスのセットによって表示されることができ、表されない任意のインデックスが他の値に適用可能と推定する。例えば、ρＡに対するインデックスのセット{１、２、３、５、６}でシグナリングされたＵＥは {０、４}がρＢを適用するための有効なインデックスであることを推定する。ＰＡ及び／又はＰＢのシグナリングは選択的であることができ、シグナリングが適用されるターゲットサブフレーム又はバーストがＣＲＳ基盤送信モードを有するＵＥと共にスケジューリングされるか否かに依存することができるということが注目される。
【０１９０】
一部実施形態で、ＵＥはＲＲＭ及び／又はＣＳＩ測定を行う時、用いられる基準電力及び／又はＥＰＲＥ推定(ａｓｓｕｍｐｔｉｏｎ)を報告することができる。これはＡＧＣ、電力シグナリングのミッシングされた探知、隣接セル測定又は他のＵＥ具現様態によって送信電力に係るパラメーターに関するＵＥ及びｅＮＢ推定間に潜在的不一致があり得る場合に有益であることができる。
【０１９１】
付加的に、多数のＣＳＩ−ＲＳは与えられたＲＲＭ又はＣＳＩ測定ウィンドウ(例えば、ＤＭＴＣ)内で送信されることができる。例えば、ＣＳＩ−ＲＳは少なくとも部分的にＤＭＴＣ内に含まれたデータバースト内でチャンネル及び干渉測定のために送信されることができる。ＣＳＩ−ＲＳはまたチャンネル測定、干渉測定及び／又はＲＲＭ測定のためにＤＲＳを含むデータバースト内で送信されることができる。この場合に、ＣＳＩ−ＲＳ送信の１つ以上のインスタンスは相違する電力レベルを持つことができる。しかし、ＤＲＳ状況と共に送信されたＣＳＩ−ＲＳに対し、ＤＭＴＣ内でＥＰＲＥはＲＲＭのために設定されたＣＳＩ−ＲＳと同様に維持されることができる。このような接近方式の利点はＲＲＭ及びＣＳＩ測定のいずれにも対するＣＳＩ−ＲＳリソースの再使用を許容するということである。これは、さらに多数のＣＳＩ−ＲＳがＤＭＴＣの外部の同様のダウンリンクデータ送信バースト内で送信される時に適用されることができる。
【０１９２】
ＵＥが設定された測定を行うように許容されるサブフレームを示すＲＲＭ及びＣＳＩ測定に対する１つ以上の測定制限パターンでＵＥは設定されることができる。反正的パターンはシグナリング効率によってライセンスキャリアに有利することができるが、非ライセンスキャリアではＬＢＴが適用される可変的チャンネルアクセス機会及びより動的に変わる干渉シナリオによって、バーストごとに、又はその上にサブフレーム土台ごとに測定制限設定を示すことが望ましい。一例で、Ｕ−ＤＣＩは与えられたタイプの測定制限が適用されるかを当該サブフレームに示すことができる。他の例で、Ｕ−ＤＣＩはサブフレームが与えられた測定制限設定／タイプに対応する該送信バーストに対して示すことができる。このようなインディケーションはシグナリングされたパターン(例えば、バーストのサブフレームに該当するビットマップ)を含むことができるか、１つ以上の設定されたパターンに対するインデックスであることができる(例えばパターン０及び１はＲＲＣによってサブフレームビットマップと設定され、Ｕ−ＤＣＩはパターン０又はパターン１に該当するインデックスを示す)。
【０１９３】
一部実施形態で、送信パラメーターの制御情報は非ライセンスキャリー上のＰＨＩＣＨ又はＰＨＩＣＨ型物理的チャンネルを用いて搬送されることができる。送信パラメーターは(
【０１９４】
【数４】
0006803848.tif 000017
【０１９５】
がＰＨＩＣＨグループ数であり、
【０１９６】
【数５】
0006803848.tif 000018
【０１９７】
がグループ内の直交シーケンスインデックスであるインデックス対
【０１９８】
【数６】
0006803848.tif 000019
【０１９９】
により識別される)ＰＨＩＣＨリソースに(ＲＲＣにより)マッピング／設定されることができ、それぞれのＰＨＩＣＨリソース(リソース当たり３ビットコードワード)に対して２個又は最大８個の可能な設定があり得る。ＵＥにより探知／受信されるグループ内の１つ以上のＰＨＩＣＨグループ数及び１つ以上の直交シーケンスインデックスはＲＲＣにより、例えば、ＬＡＡＳＣｅｌｌ設定の一部として設定されることができる。
【０２００】
一部実施形態で、送信パラメーターの制御情報はＣＲＣがｅｉｍｔａ−ＲＮＴＩ(ｅｎｈａｎｃｅｄ ｉｎｔｅｒｆｅｒｅｎｃｅ ｍｉｔｉｇａｔｉｏｎ ｔｒａｆｆｉｃ ａｄａｐｔａｔｉｏｎ−ＲＮＴＩ)又は新しいＲＮＴＩでスクランブリングされたＤＣＩフォーマット１Ｃで“ＵＬ／ＤＬ設定”のためのビットフィールドを再使用することによって搬送されることができる。一例で、“ＵＬ／ＤＬ設定”フィールドは、例えば、表１ｃ又は表１ｄ、若しくは表１ｅのようにサブフレーム構造を示すために再使用される。Ｕ−ＤＣＩは設定されたそれぞれのＬＡＡＳＣｅｌｌから送信されることができ、例えば、(ｅｉｍｔａ−ＵＬ−ＤＬ−ＣｏｎｆｉｇＩｎｄｅｘ=１を有した)それぞれのＬＡＡＳＣｅｌｌに対して共通検索が設定される。代案としてＵ−ＤＣＩはライセンス帯域からのサービングセルから、又はＰＣｅｌｌから、又は共通検索空間に設定されたサービングセルから送信される。ｅｉｍｔａ−ＵＬ−ＤＬ−ＣｏｎｆｉｇＩｎｄｅｘはより多いＳＣｅｌｌにシグナリングができるようにＬＴＥシステムのＲｅｌ−１２値範囲(１...５)で拡張されることができる。
【０２０１】
前述のシグナリングの大部分はサブフレームごとに又はＤＬ送信バースト土台ごとに有効であることができる。シグナリングされた送信パラメーターがバーストにかけて変わる場合に、同一のセルからの２個の相違する送信が同一の送信バースト内に含まれるか、又は相違する送信バーストの一部であるかをＵＥが決定することが重要することができる。一例で、ＵＥはセルの送信の時間連続探知及び測定に基づいてサブフレームが同一のバーストに属するかを決定することができる。最大バースト持続期間がさらに固定されると、ＵＥは最大持続期間より大きい待機時間で受信された任意のサブフレームが相違するバーストに対応することができるかを決定することができる。他の例で、ネットワークは決定をするＵＥに助け(ａｓｓｉｓｔａｎｃｅ)を提供することができる。さらに他の例で、バーストインデックスは明示的又は暗示的シグナリング(例えば、Ｕ−ＤＣＩ)により提供されることができる。さらに他の例で、最大バースト持続期間は(上位階層又は物理的階層(例えば、Ｕ−ＤＣＩ)シグナリングにより)ＵＥに表示されることができる。
【０２０２】
一部実施形態で、パラメーターはＤＬデータバースト内で又はＤＬデータバーストにかけて送信パラメーターを動的に適応させるためにＵＥで暗示的に導出されることができる。一実施形態で、ＣＲＳ及び／又はＣＳＩ−ＲＳのような基準信号に用いられるスクランブリングは１つ以上のパラメーター又はパラメーターの組み合せを示すことができる。例えば、ＬＴＥシステムのＲｅｌ−８−１２で、ＣＲＳシーケンス
【０２０３】
【数７】
0006803848.tif 000020
【０２０４】
は式(１)により定義される:
【０２０５】
【数８】
0006803848.tif 000021
【０２０６】
ここで、ｎｓは無線フレーム内のスロット数であり、ｌはスロット内のＯＦＤＭシンボル数である。意思ランダムシーケンスｃ(ｉ)は、ＬＴＥシステムの仕様(ｓｐｅｃｉｆｉｃａｔｉｏｎ)に定義されている。意思ランダムシーケンス生成器は式２によって初期化されることができる。
【０２０７】
【数９】
0006803848.tif 000022
【０２０８】
式２は、それぞれのＯＦＤＭシンボルの開始で定義され、ここで、
【０２０９】
【数１０】
0006803848.tif 000023
【０２１０】
一実施形態で、送信パラメーターは(ＬＴＥシステムのＲｅｌ−８−１２によってスロット数を示す代りに)ｎｓにより暗示的に決定されることができる。例えば、ｎｓは表７ａ及び表７ｂに示されたようにサブフレームタイプを示すのに用いられることができる。設定情報にマッピングするために用いられるｎｓ値の他の選択も可能である。サブフレームタイプがサブフレームの２つのスロットに適用されることができるので、１つのｎｓ値はサブフレームの２つのスロットに適用される。ＵＥがＤＬサブフレームのサブフレームタイプを決定する必要がある時、ＵＥは(例えば、表７ａ又は表７ｂにより)サブフレームタイプを決定するためにサブフレームのｎｓ値を盲目的に探知する。
【０２１１】
【表７ａ】
0006803848.tif 000024
【表７ｂ】
0006803848.tif 000025
【０２１２】
表７ａの一例で、ＣＲＳがすべてのサブフレームタイプに対する第１ＯＦＤＭシンボルに存在するので、ＵＥは探知のために第１ＯＦＤＭシンボルのＣＲＳを用いることができる。サブフレームタイプが異なるＯＦＤＭシンボルでＣＲＳの存在により決定されるので、ＵＥはＵＥのブラインド探知結果を確認するために異なるＯＦＤＭシンボル位置でＣＲＳの存在を相変らず盲目的に探知することができる。他の例で、ＵＥはサブフレームタイプを決定するために共同でｎｓのブラインド探知だけではなくＯＦＤＭシンボルでＣＲＳ信号存在のブラインド探知を用いることができる。このような動作は、例えば、表７ｂに基づいて行われることができる。このような例で、ＣＲＳは部分サブフレームからサブフレームの第１部分に存在しないこともある(例えば、送信はサブフレームの第２スロットで発生する)。
【０２１３】
ＵＥはサブフレームタイプがサブフレームごとに変更されることができる場合、ＤＬ送信バーストのサブフレームごとにブラインド探知を行うことができ、これは増加されたＵＥブラインド探知の費用でネットワークにより多い柔軟性を提供する。ネットワークが送信バーストの全体に対して同一のサブフレームタイプを維持すれば、ＵＥはバースト間の(例えば、バーストの第１サブフレームで)このようなブラインド探知を一度だけ行うことができるが；ＵＥは探知結果を確認して探知信頼性を向上させるためにバースト間の相変らず探知を一度以上行うことができる。
【０２１４】
表８ａ及び表８ｂは、それぞれサブフレームに対する送信モード及び送信方式のサポート又は設定を示すためにｎｓを用いるいくつかの例を示す。送信モード／方式のサポートがサブフレームの２つのスロットのいずれにも適用されるので、１つのｎｓ値はサブフレームの２つのスロットのいずれにも適用される。ＵＥがＤＬサブフレームの送信モード／方式の設定／サポートを決定する必要がある時、ＵＥは、例えば、表８ａ又は表８ｂによってｎｓ値を盲目的に探知する。サブフレームタイプインディケーションに対して説明された設計原理は送信モード／方式インディケーションのために再使用されることができ、ここでは簡潔性のために追加の説明を省略する。
【０２１５】
【表８ａ】
0006803848.tif 000026
【表８ｂ】
0006803848.tif 000027
【０２１６】
表９ａ及び表９ｂは、それぞれサブフレームに対するＣＲＳ及びＣＳＩ−ＲＳ信号存在を示すためにｎｓを用いるいくつかの例を示す。他の物理的信号はさらに同一の方式を用いて示すことができる。１つのｎｓ値はサブフレームの２つのスロットのいずれにも適用される。ＵＥがＤＬサブフレームの物理的信号存在を決定する必要がある時、ＵＥは例えば、表９ａ又は表９ｂによってｎｓ値を盲目的に探知する。さらにｎｓは表９ｃに示されたようにＣＲＳ及びＣＳＩ−ＲＳの存在を共同で示すことができる。サブフレームタイプインディケーションに対して説明された設計原理はＣＲＳ／ＣＳＩ−ＲＳのために再使用されることができ、ここでは簡潔性のために追加の説明を省略する。
【０２１７】
【表９ａ】
0006803848.tif 000028
【表９ｂ】
0006803848.tif 000029
【表９ｃ】
0006803848.tif 000030
【０２１８】
表１０ａ及び表１０ｂは、それぞれサブフレームに対して(例えば、ＲＲＣ又はブロードキャストによって設定された)基準信号電力に対するＣＲＳ電力レベル(ＥＰＲＥ ｄＢｍ)及びＣＲＳ電力レベルオフセット(ｄＢ)を示すためにｎｓを用いるいくつかの例を示す。ＵＥが上述したように例えば、ＲＲＭ測定のために、もしくはＵＬ送信電力を決定するためにＤＬサブフレームで設定されたＣＲＳ電力を決定する必要がある時、ＵＥは、例えば、表１０ａ又は表１０ｂによって盲目的にｎｓ値を探知する。ＣＲＳスクランブリング関数でパラメーターで信号電力を示すことは隣接セルのＲＲＭ測定が情報を獲得するために物理的チャンネルのデコーディングを伴う方式よりさらに効率的に行われることができるという利点を有する。
【０２１９】
【表１０ａ】
0006803848.tif 000031
【表１０ｂ】
0006803848.tif 000032
【０２２０】
表１１ａ及び表１１ｂは、それぞれサブフレームに対するＰＢ及びＰＡを示すためにｎｓを用いるいくつかの例を示す。ｎｓが例えば、表１１ａによってＰＢを示すのに用いられると、ＰＡが通常的にＵＥ特定方式で決定されるからＰＡはＤＬ割り当てのためにＤＣＩフォーマットで表示されることができる。ｎｓが例えば、表１１ｂによってＰＡを示すのに用いられると、ＰＢは上位階層シグナリング(例えば、ＲＲＣ)又はブロードキャストメッセージによって表示されることができる。一例で、ｎｓによるＰＢ及びＰＡのジョイントインディケーションがあり得る。
【０２２１】
【表１１ａ】
0006803848.tif 000033
【表１１ｂ】
0006803848.tif 000034
【０２２２】
パラメーターｎｓが前記インディケーションの多様な例を説明するために用いられたが、他のパラメーターがさらに本発明の範囲を逸脱することなく用いられることができる。ＣＲＳスクランブリングに用いられる他のパラメーターはさらにパラメーターの元々目的が必要ではないか有益ではない場合に送信パラメーター、例えば、元々スロット内のＯＦＤＭシンボル数であるｌ(時間によるスクランブリングランダム化は、例えば、セルｉｄ基盤ランダム化が十分な場合には必須ではない)、及び元々サイクリックプレフィックス設定により決定されるＮＣＰ(サイクリックプレフィックス拡張は小さいセルの典型的な配置シナリオに有益ではなく、したがって、正常なサイクリックプレフィックスが十分である)を示すために再使用されることができる。他の例で、パラメーターｎｓ、ｌ、ＮＣＰのうちの１つ以上は送信パラメーターのうちの１つ以上を共同で示すことができる。
【０２２３】
一部実施形態で、送信パラメーターはＣＲＳ／ＣＳＩ−ＲＳのスクランブリングに導入した新しいパラメーターによって暗示的に決定されることができる。例えば、式３によりＣＲＳシーケンスに対する意思ランダムシーケンス生成器を初期化するためにｍ−ビットパラメーターＭが導入されることができる。
【０２２４】
【数１１】
0006803848.tif 000035
【０２２５】
ここで、パラメーターは前記ｎｓの例に対して説明されたように送信パラメーターを示すのに用いられることができる。
【０２２６】
一部実施形態で、信号(例えば、ＣＲＳ、ＣＳＩ−ＲＳ、ＤＲＳ)の存在は１つ以上のパラメーター又はパラメーターの組み合せを伝達するのに用いられることができる。例えば、第１(ポート０及びポート１)又は第１の２(ポート０、１、２、３ＯＦＤＭシンボル以外のＯＦＤＭシンボルでのＣＲＳの不在は送信モード／方式に基づいたＤＭ−ＲＳがＰＤＳＣＨに対して設定されたりサポートされるが、ＣＲＳ基盤送信モード／方式がＰＤＳＣＨに対して設定されるとかサポートされないことを表されることができる。
【０２２７】
一部実施形態で、明示的及び暗示的制御情報の組合がさらに用いられることができる。例えば、ＣＲＳスクランブリングは与えられたサブフレームに対して用いられるＥＰＲＥパラメーターを示すために用いられることができるが、ＴＭサポート又は基準信号電力はＵ−ＤＣＩに表示されることができる。
【０２２８】
ＣＲＳ及び／又はＣＳＩ−ＲＳ(ＤＲＳの一部ではない)の送信電力は送信バーストごとにｅＮｏｄｅＢにより同様に維持されることができるが、２個の相違するバースト間で変化されることができるということが可能である。このような方式で、ＵＥはＤＲＳの一部ではないＣＲＳ及び／又はＣＳＩ−ＲＳ ＥＰＲＥが送信バースト内で変更されず、例えばチャンネル推定(例えば、サブフレームにかけた補間(ｉｎｔｅｒｐｏｌａｔｉｏｎ ａｃｒｏｓｓ ｓｕｂｆｒａｍｅ))及び微細な周波数同期化(ｆｉｎｅ ｆｒｅｑｕｅｎｃｙ ｓｙｎｃｈｒｏｎｉｚａｔｉｏｎ)目的のためにサブフレームにかけた物理的信号を用いることができるということを推定することができる。
【０２２９】
ＤＲＳの一部としてのＣＲＳ及び／又はＣＳＩ−ＲＳの送信電力はＲＲＭ測定手続きに対する影響を最小化するためにより長い持続期間の間ｅＮｏｄｅＢにより同様に維持されなければならないこともできる。この場合、ＵＥはＤＲＳの一部であるＣＲＳ及び／又はＣＳＩ−ＲＳ ＥＰＲＥがＤＲＳサブフレーム内とＤＲＳサブフレームにかけて変更されないということを推定することができる。ＵＥはＤＲＳ状況にかけてＤＲＳ(ＣＲＳ基盤又はＣＳＩ−ＲＳ基盤ＲＳＲＰ／ＲＳＲＱ)に基づいてＲＲＭ測定を平均化することができる。さらに、制御／データ送信及びＤＲＳ送信は同一の送信バースト及び、その上に同一のサブフレーム内で多重化されることができる。この場合、ＵＥがＣＲＳ及び／又はＣＳＩ−ＲＳ送信電力が送信バースト内で変更されることができる時を区別する必要がある。
【０２３０】
一部実施形態で、ＵＥはＤＭＴＣウィンドウ／状況の外部で送信されたＣＲＳ／ＣＳＩ−ＲＳ及びＤＭＴＣウィンドウ／状況内で送信されたＣＲＳ／ＣＳＩ−ＲＳが同一のＥＰＲＥを有するということを推定することができない。このような推定は制御／データ送信バーストがＤＭＴＣウィンドウ／状況と時間的に重畳する場合にも適用される。この方法に対するオプションで、ＵＥがＤＭＴＣウィンドウ／状況内で可能なＤＲＳ送信位置(例えば、サブフレーム)と設定されると、ＵＥはＤＭＴＣウィンドウ／状況内で設定された位置の外部に送信されたＣＲＳ／ＣＳＩ−ＲＳ及びＤＭＴＣウィンドウ／状況内で設定された位置内に送信されたＣＲＳ／ＣＳＩ−ＲＳが同一のＥＰＲＥを有するということを推定することができない。
【０２３１】
一部実施形態で、シグナリングはＤＭＴＣウィンドウ／状況内のどんなサブフレームがＤＭＴＣウィンドウ／状況と重畳する送信バースト内の別のサブフレームに対したことと相違するＣＲＳ／ＣＳＩ−ＲＳ ＥＰＲＥを有するかを示すために用いられることができる。ＤＭＴＣウィンドウ／状況内に５個の可能なＤＲＳサブフレームがあり、ＤＭＴＣウィンドウ／状況内に１つのＤＲＳサブフレームだけが存在することができる場合、３ビットはこのようなシグナリングのために用いられることができる。２種類のサブフレーム間のＥＰＲＥ差(又はＥＰＲＥ割合)がさらに表示されることができる。
【０２３２】
ＤＲＳのＣＲＳのＥＰＲＥがＲＲＣ設定(ｒｅｆｅｒｅｎｃｅＳｉｇｎａｌＰｏｗｅｒ)によって与えられると、シグナリングは本質的にＤＲＳの一部ではないＣＲＳのＥＰＲＥを表される。代案として、シグナリングはＤＭＴＣウィンドウ／状況内のどんなサブフレームが相違するＣＲＳ／ＣＳＩ−ＲＳ ＥＰＲＥを有するかを表されず；ＵＥは相違するＥＰＲＥがＤＭＴＣウィンドウ／状況内のすべてのサブフレーム又は設定されたサブフレームのセットに適用されるということを推定する。代案として、シグナリングはさらに(シグナリングが送信される)現サブフレームと次のサブフレーム間のＥＰＲＥ差、又はＥＰＲＥ割合を表されることができる。
【０２３３】
一部実施形態で、シグナリングはＥＰＲＥに変化があるということを表されるが、シグナリングオーバーヘッドを減らすために実際ＥＰＲＥを表されない。シグナリングはＵ−ＤＣＩで行われることができ、シグナリングコンデンツ設計により、例えば、送信バーストの第１サブフレーム、又は送信バーストのすべてのサブフレーム、又は送信バーストの設定されたサブフレームのセットで送信されることができる。シグナリングがＤＭＴＣウィンドウ／状況と重畳しなければシグナリングは送信バーストに必要しないこともある。
【０２３４】
一部実施形態で、シグナリングはＤＭＴＣウィンドウ／状況のサブフレーム(又は設定されたサブフレームのセット)で送信されることができる。一部実施形態で、シグナリングはＤＭＴＣウィンドウ／状況の開始前のサブフレーム及びＤＭＴＣウィンドウ／状況の最後のサブフレームで送信されることができる。一部実施形態で、シグナリングはＤＭＴＣウィンドウ／状況の設定されたサブフレームのセットでだけではなくＤＭＴＣウィンドウ／状況の設定されたサブフレームのセット前のサブフレームから送信されることができる。一部実施形態で、ＣＲＳ／ＣＳＩ−ＲＳスクランブリングに用いられるパラメーターを用いる暗示的シグナリングがさらに用いられることができる。
【０２３５】
一部実施形態で、ＵＥはＤＭＴＣウィンドウ／状況内のどんなサブフレームがＤＲＳ(ＰＳＳ／ＳＳＳ)の探知を介して相違するＥＰＲＥを有するＣＲＳ／ＣＳＩ−ＲＳを含むことができるかを決定する。ＵＥはＤＲＳを含まないサブフレーム内のＣＲＳ／ＣＳＩ−ＲＳがＤＲＳを含むサブフレームでＣＲＳ／ＣＳＩ−ＲＳと同一のＥＰＲＥを有するということを推定することができない。
【０２３６】
図１４は、本開示内容の実施形態による非ライセンススペクトラム上のＲＳＳＩ送信１４００に対するシグナリング流れの一例を示す。図１４に示したＲＳＳＩ送信１４００に対するシグナリング流れの実施形態はただ例示のためのものである。本開示内容の範囲を逸脱することなく他の実施形態が用いられることができる。
【０２３７】
図１４に示されたように、ＲＳＳＩ送信１４００に対するシグナリング流れはＵＥ１４０５及びｅＮＢ１４１０を含む。段階１４１５で、ｅＮＢ１４１０はＲＳＳＩ(ｒｅｃｅｉｖｅｄ ｓｉｇｎａｌ ｓｔｒｅｎｇｔｈ ｉｎｄｉｃａｔｏｒ)測定タイミング設定(ＲＭＴＣ)を生成することができる。段階１４２０で、ｅＮＢ１４１５は段階１４１５で生成されたＲＭＴＣをＬＡＡ(ｌｉｃｅｎｓｅｄ ａｓｓｉｓｔｅｄ ａｃｃｅｓｓ)での非ライセンススペクトラムを介してＵＥ１４０５へ送信することができる。一部実施形態で、段階１４２０で、ｅＮＢ１４１０は段階１４３０からＵＥ１４０５の平均ＲＳＳＩ測定のためにＵＥ１４０５に少なくとも１つのしきい値を送信することができる。一部実施形態で、段階１４２０でＲＭＴＣはＤＲＳ(ｄｉｓｃｏｖｅｒｙ ｒｅｆｅｒｅｎｃｅ ｓｉｇｎａｌ)測定タイミング設定(ＤＭＴＣ)から独立的に設定される。
【０２３８】
段階１４２０から送信されたＲＭＴＣは段階１４３０からＵＥ１４０５の平均ＲＳＳＩ測定の間の時間周期を決定する持続期間及び測定期間を含むことができる。一部実施形態で、段階１４２０で、ｅＮＢ１４１０は段階１４３０でＵＥ１４０５の平均ＲＳＳＩ測定を行うためにＯＦＤＭシンボル情報を送信することができ、ここでＯＦＤＭシンボル情報は段階１４２０でＵＥ１４０５に対する上位階層信号により表示されることができる。
【０２３９】
一部実施形態で、ｅＮＢ１４１０は段階１４１５でダウンリンク制御チャンネルを送信するためにサブフレーム構造設定を示す値を生成することができ、段階１４２０でサブフレーム構造設定を示す値を送信することができ、ここで、サブフレーム構造設定を示す値は部分サブフレーム持続期間設定を示す値又は全体サブフレーム持続期間設定を示す値のうちの少なくとも１つを含み、ここでサブフレーム構造設定を示す値はＵＥ１４０５に対するダウンリンク制御情報(ＤＣＩ)フォーマットにより設定される。
【０２４０】
段階１４２５で、ＵＥ１４０５は段階１４２０で、ＬＡＡ(ｌｉｃｅｎｓｅｄ ａｓｓｉｓｔｅｄ ａｃｃｅｓｓで非ライセンススペクトラムを介してＲＭＴＣを受信し、段階１４２５で送信されたＲＭＴＣを処理することができる。段階１４３０で、ＵＥ１４０５は段階１４２０で送信されたＲＭＴＣによってＲＳＳＩを測定し、受信されたＲＭＴＣによって平均ＲＳＳＩ測定を生成する。一部実施形態で、ＵＥ１４０５は段階１４３０でチャンネル占有率を含むチャンネル占有測定レポートを生成することができ、ここでチャンネル占有率は平均ＲＳＳＩ測定のための少なくとも１つのしきい値を超過する占有された測定時間単位(ＭＴＵ)の量に基づいて決定され、ここで少なくとも１つのしきい値はｅＮＢ１４１０からの上位階層信号により設定される。段階１４３５で、ＵＥ１４０５は平均ＲＳＳＩ測定を含むＲＳＳＩ測定リフトと共にチャンネル占有測定レポートをｅＮＢ１４１０に送信することができる。
【０２４１】
本出願における説明は任意の特定要素、段階又は機能が請求範囲に含むべき必須要素を暗示することに解釈されてはいけない。特許された主題(ｐａｔｅｎｔｅｄ ｓｕｂｊｅｃｔ ｍａｔｔｅｒ)の範囲は請求項に限って定義される。さらに、どんな請求項も正確な単語“ための手段(ｍｅａｎｓ ｆｏｒ)”次に分詞(ｐａｒｔｉｃｉｐｌｅ)がよらなければ３５Ｕ．Ｓ．Ｃ．§ １１２(ｆ)を行事するように意図されない。
【符号の説明】
【０２４２】
１００  無線ネットワーク
１０１〜１０３  ｅＮＢ
１１１〜１１６  ＵＥ
１２０、１２５  カバレッジ領域
１３０  ネットワーク
【図１】
0006803848.tif 000036
【図２】
0006803848.tif 000037
【図３】
0006803848.tif 000038
【図４Ａ】
0006803848.tif 000039
【図４Ｂ】
0006803848.tif 000040
【図５】
0006803848.tif 000041
【図６】
0006803848.tif 000042
【図７】
0006803848.tif 000043
【図８】
0006803848.tif 000044
【図９】
0006803848.tif 000045
【図１０】
0006803848.tif 000046
【図１１】
0006803848.tif 000047
【図１２】
0006803848.tif 000048
【図１３】
0006803848.tif 000049
【図１４】
0006803848.tif 000050